(57)【特許請求の範囲】
【請求項１】
ニューレディオ（ＮＲ）無線アクセスネットワークにおいてユーザ装置（ＵＥ）を動作させる方法であって、前記方法は、
複数のサブパターンを含むビットパターンを有するコードブックに基づいてハイブリッド自動再送要求（ＨＡＲＱ）フィードバックシグナリングを送信することを有し、各サブパターンは、報告タイプを有するＨＡＲＱフィードバックを表し、前記報告タイプは、サブパターンが関係しているサブパターンサイズおよびデータブロック構造を示し、前記サブパターンサイズは、１ビット以上であり、
第１の報告タイプはトランスポートブロックを表す第１のデータブロック構造に対応しており、第２の報告タイプはトランスポートブロックの１つまたは複数のコードブロックグループを表す第２のデータブロック構造に対応しており、
前記サブパターンのうちの少なくとも１つは前記第１の報告タイプを有し、前記サブパターンのうちの少なくとも１つは、前記第２の報告タイプを有し、
前記コードブックは、サブパターンをそれらの報告タイプに基づいてグループ化し、当該グループ化は、前記第１の報告タイプを有するビットパターンのサブパターンを第１のグループにグループ化し、前記第２の報告タイプを有するビットパターンのサブパターンを第２のグループにグループ化することを含み、これらのグループは、前記ビットパターンにおいて順番に配置されている、方法。
【請求項２】
請求項１に記載の方法であって、前記第１の報告タイプに関連付けられた前記サブパターンサイズは、１ビットである、方法。
【請求項３】
請求項１に記載の方法であって、前記第２の報告タイプに関連付けられた前記サブパターンサイズは、１ビットよりも大きい、方法。
【請求項４】
請求項１に記載の方法であって、サブパターンは１つのＨＡＲＱプロセスに関係している、方法。
【請求項５】
請求項１に記載の方法であって、異なるサブパターンが異なるＨＡＲＱプロセスに関係している、方法。
【請求項６】
請求項１に記載の方法であって、前記第２の報告タイプを有するサブパターンは、トランスポートブロックのための１つのＡＣＫ／ＮＡＣＫビットと、少なくとも１つのコードブロックグループのための少なくとも１つのＡＣＫ／ＮＡＣＫビットとを有する、方法。
【請求項７】
請求項１に記載の方法であって、前記ＨＡＲＱフィードバックは、物理アップリンク共有チャネル（ＰＵＳＣＨ）で送信される、方法。
【請求項８】
請求項７に記載の方法であって、前記コードブックは、前記ＰＵＳＣＨのアップリンクシグナリングのためのリソースを構成するダウンリンク制御情報（ＤＣＩ）スケジューリンググラントにおいて受信される複数のグループインジケーションに基づく、請求項７に記載の方法。
【請求項９】
請求項８に記載の方法であって、各グループインジケーションが、トータルダウンリンク割り当てインジケータ（ＤＡＩ）に対応している、方法。
【請求項１０】
請求項９に記載の方法であって、各トータルＤＡＩは異なる報告タイプに関係している、方法。
【請求項１１】
ニューレディオ（ＮＲ）無線アクセスネットワークのためのユーザ装置（ＵＥ）であって、前記ＵＥは、プロセッシング回路と無線回路とを備え、
複数のサブパターンを含むビットパターンを有するコードブックに基づき、ハイブリッド自動再送要求（ＨＡＲＱ）フィードバックシグナリングを送信するよう、前記プロセッシング回路と前記無線回路とを利用するように構成されており、各サブパターンは、報告タイプを有するＨＡＲＱフィードバックを表し、前記報告タイプは、サブパターンが関係しているサブパターンサイズおよびデータブロック構造を示し、前記サブパターンサイズは、１ビット以上であり、
第１の報告タイプはトランスポートブロックを表す第１のデータブロック構造に対応しており、第２の報告タイプはトランスポートブロックの１つまたは複数のコードブロックグループを表す第２のデータブロック構造に対応しており、
前記サブパターンのうちの少なくとも１つは前記第１の報告タイプを有し、前記サブパターンのうちの少なくとも１つは、前記第２の報告タイプを有し、
前記コードブックは、サブパターンをそれらの報告タイプに基づいてグループ化し、当該グループ化は、前記第１の報告タイプを有するビットパターンのサブパターンを第１のグループにグループ化し、前記第２の報告タイプを有するビットパターンのサブパターンを第２のグループにグループ化することを含み、これらのグループは、前記ビットパターンにおいて順番に配置されている、ユーザ装置。
【請求項１２】
請求項１１に記載のユーザ装置であって、前記第１の報告タイプに関連付けられた前記サブパターンサイズは、１ビットである、ユーザ装置。
【請求項１３】
請求項１１に記載のユーザ装置であって、前記サブパターンサイズは、１ビットより大きい場合、前記第２の報告タイプに関連付けられる、ユーザ装置。
【請求項１４】
請求項１１に記載のユーザ装置であって、前記サブパターンが１つのＨＡＲＱプロセスに関係している、ユーザ装置。
【請求項１５】
請求項１１に記載のユーザ装置であって、異なるサブパターンが異なるＨＡＲＱプロセスに関係している、ユーザ装置。
【請求項１６】
請求項１１に記載のユーザ装置であって、前記第２の報告タイプを有するサブパターンは、トランスポートブロックのための１つのＡＣＫ／ＮＡＣＫビットと、少なくとも１つのコードブロックグループのための少なくとも１つのＡＣＫ／ＮＡＣＫビットとを有する、ユーザ装置。
【請求項１７】
請求項１１に記載のユーザ装置であって、前記ＨＡＲＱフィードバックは、物理アップリンク共有チャネル（ＰＵＳＣＨ）で送信される、ユーザ装置。
【請求項１８】
請求項１７に記載のユーザ装置であって、前記コードブックは、前記ＰＵＳＣＨのアップリンクシグナリングのためのリソースを構成するダウンリンク制御情報（ＤＣＩ）スケジューリンググラントにおいて受信される複数のグループインジケーションに基づく、ユーザ装置。
【請求項１９】
請求項１８に記載のユーザ装置であって、各グループインジケーションは、トータルダウンリンク割り当てインジケータ（ＤＡＩ）に対応する、ユーザ装置。
【請求項２０】
請求項１９に記載のユーザ装置であって、各トータルＤＡＩが異なる報告タイプに関係している、ユーザ装置。
【発明の詳細な説明】
【技術分野】
【０００１】
本開示は、無線通信技術の分野に関し、特に、ＮＲのような無線アクセスネットワーク（ＲＡＮ）のコンテキストに関する。
【背景技術】
【０００２】
ＨＡＲＱまたはＡＲＱのようなアクノレッジメント（肯定応答）シグナリングプロセスは、データを転送するときに低い誤り率を容易に達成するために、無線通信技術（電気通信）において広く使用されている。通信システムにより多くの柔軟性が導入されるにつれて、特にアクノレッジメントシグナリングのために様々な報告タイプを利用して、考慮すべきシグナリングプロセスの数を増やす能力を有するようになったため、アクノレッジメントシグナリングの処理はより複雑になった。
【発明の概要】
【０００３】
本開示の目的は、アクノレッジメントシグナリングの処理を改善するアプローチを提供することである。このアプローチは、特に、信頼性があり、予測可能な、アクノレッジメントシグナリングの処理と、それに対応するシグナリング構造を実現する。これらのアプローチは、特に有利には、第五世代（５Ｇ）通信ネットワークもしくは５Ｇ無線アクセステクノロジ、または、３ＧＰＰ（第三世代パートナーシッププロジェクト、標準化機関）にしたがったネットワーク（ＲＡＴ／ＲＡＮ）において、実装される。適切なＲＡＮは、特に、ＮＲによるＲＡＮ、例えば、リリース１５以降、またはＬＴＥ  Ｅｖｏｌｕｔｉｏｎであってもよい。
【０００４】
したがって、無線アクセスネットワークにおいてユーザ装置（ＵＥ）を動作させる方法が開示される。この方法は、コードブックに基づいてアクノレッジメントシグナリングを送信することを含み、コードブックは、１つまたは複数のサブパターンを含むビットパターンをアクノレッジメントシグナリングに関連付け、各サブパターンは、報告タイプに従ってアクノレッジメント情報を表し、コードブックは、それらの報告タイプに基づいてサブパターンをグループ化する。代替的に、または追加的に、該方法は、１つまたは複数のグループサイズインジケーションに基づいてアクノレッジメントシグナリングを送信することを有することができる。
【０００５】
無線アクセスネットワークのためのユーザ装置も開示される。ユーザ装置は、コードブックに基づいてアクノレッジメントシグナリングを送信するように適合され、コードブックは、１つまたは複数のサブパターンを含むビットパターンをアクノレッジメントシグナリングに関連付け、各サブパターンは、報告タイプに従ってアクノレッジメント情報を表し、コードブックは、それらの報告タイプに基づいてサブパターンをグループ化する。代替的に、または追加的に、ユーザ装置は、１つまたは複数のグループサイズインジケーションに基づいてアクノレッジメントシグナリングを送信するように適合されてもよい。ユーザ装置は、送信のために、および／またはコードブックを決定および／または受信するために、例えばコードブックを用いて構成されるために、プロセッシング回路および／または無線回路、特に送受信機および／または送信機および／または受信機を備えることができ、および／または利用するように適合されてもよい。代替的に、または追加的に、ＵＥは、それぞれ、そのような送信および／または決定および／または受信のための、対応する送信モジュールおよび／または決定モジュールおよび／または受信モジュールを備えることができる。
【０００６】
一般に、アクノレッジメントシグナリングを送信することは、コードブックに基づくことができ、および／または１つまたは複数のグループサイズインジケーションに基づくことができる。
【０００７】
また、無線アクセスネットワークで設定無線ノードを動作させる方法も考えられる。この方法は、アクノレッジメントシグナリングのためのコードブックを有するユーザ装置を構成することを含み、コードブックは、１つまたは複数のサブパターンを含むビットパターンをアクノレッジメントシグナリングに関連付け、各サブパターンは、報告タイプに従ってアクノレッジメント情報を表し、コードブックは、それらの報告タイプに基づいてサブパターンをグループ化する。代替的に、または追加的に、該方法は、アクノレッジメントシグナリングのための１つまたは複数のグループサイズインジケーションを有するユーザ装置を構成することを有することができる。
【０００８】
無線アクセスネットワークのために無線ノードを構成することも提案される。構成無線ノードは、アクノレッジメントシグナリングのためのコードブックを有するユーザ装置を構成するように適合される。コードブックは、１つまたは複数のサブパターンを含むビットパターンをアクノレッジメントシグナリングに関連付け、各サブパターンは、報告タイプに従ってアクノレッジメント情報を表し、コードブックは、それらの同じ報告タイプに基づいてサブパターンをグループ化する。代替的に、または追加的に、構成無線ノードは、アクノレッジメントシグナリングのための１つまたは複数のグループサイズインジケーションを有するユーザ装置を構成するように適合されてもよい。構成無線ノードは、構成（例えば、対応する送信）のために、および／またはコードブックおよび／または１つまたは複数のグループサイズインジケーションを決定するために、プロセッシング回路および／または無線回路、特に送受信機および／または送信機および／または受信機を備えることができ、および／またはそれらを利用するように適合させることができる。代替的に、または追加的に、設定無線ノードは、それぞれ、対応する設定または送信モジュール、および／またはそのような送信および／または決定のための決定モジュールを備えることができる。
【０００９】
さらに、無線アクセスネットワークにおいて受信無線ノードを動作させる一方法が開示される。この方法は、コードブックに基づいてアクノレッジメントシグナリングを受信することを含み、コードブックは、１つまたは複数のサブパターンを含むビットパターンをアクノレッジメントシグナリングに関連付け、各サブパターンは、報告タイプに従ってアクノレッジメント情報を表し、コードブックは、それらの報告タイプに基づいてサブパターンをグループ化する。この方法は、構成無線ノードを動作させる方法（このケースでは、受信無線ノードは、無線ノードを構成するものとして実装されてもよい）に加えて、またはそれとは独立して実装されてもよい。
【００１０】
無線アクセスネットワークのための受信無線ノードが考慮されてもよい。受信無線ノードは、コードブックに基づいてアクノレッジメントシグナリングを受信するように適合され、コードブックは、１つまたは複数のサブパターンを含むビットパターンをアクノレッジメントシグナリングに関連付け、それぞれのサブパターンは、報告タイプに従ってアクノレッジメント情報を表し、コードブックは、それらの報告タイプに基づいてサブパターンをグループ化する。受信無線ノードは、例えば、グルーピングのそれぞれコードブックの構成および／または大きさを識別することができるコードブックインジケーションを備えることができる、例えば、受信された構成および／または制御シグナリングに基づいて、受信するための、および／またはコードブックを決定するための、特に送受信機および／または受信機および／または送信機である、プロセッシング回路および／または無線回路を備えることができ、および／または利用するように適合されてもよい。代替的に、または追加的に、受信無線ノードは、それぞれ、対応する受信モジュールおよび／またはそのような受信および／または決定のための決定モジュールを備えることができる。受信無線ノードは、無線ノードを構成するものとして実装されてもよく、またはそれとは独立して実装されてもよい。
【００１１】
コードブックに基づくアクノレッジメントシグナリングを受信することは、復号化および／または復調、および／または解釈、および／または、コードブックに従うアクノレッジメントシグナリングに関連するシグナリングを識別および／または関連するシグナリングを含むことができる。特に、アクノレッジメントシグナリング（および／またはシグナリングによって表されるアクノレッジメント情報）は、コードブックによって示されるビットパターンに続き、および／またはそれに準拠すると仮定することができる。
【００１２】
受信無線ノードおよび／または構成無線ノードは、特に、ネットワークノードとして実装されてもよい。しかしながら、いくつかの例では、そのようなノードは、例えば、サイドリンクシナリオにおいて、ユーザ装置として実装されてもよい。
【００１３】
コードブックは、例えば、アクノレッジメントシグナリングのために使用されるビットパターンを定義および／または指示することによって、ビットパターンをアクノレッジメントシグナリングに関連付けると考えられてもよい。ビットパターンは、例えば、シグナリングでシグナリングされるべきアクノレッジメント情報がビットパターンで提供され、および／または示され、および／または表される場合、アクノレッジメントシグナリングに関連付けられると見なされてもよい。コードブックは、一般に、ビットパターンのサイズおよび／または構造を定義および／または示すことができる。ビットパターンの構造は、どのビットまたはサブパターンがパターンのどこに配置されているかを示すため、および／またはサブパターンをアクノレッジメントシグナリングプロセスおよび／またはコンポーネント搬送波にマッピングするために考慮されてもよい。さらに、コードブックは、例えば、報告タイプ、特にサイズに基づいて、どのサブパターンがグループを形成する（一緒にグループ化される）かを示すことができる。
【００１４】
本明細書で開示されるアプローチは、信頼性があり、予測可能な、アクノレッジメントシグナリングの処理を容易に実現するものであり、特に、ネットワークノードのような無線ノードとＵＥとの間におけるアクノレッジメントシグナリングの構造およびサイズの首尾一貫した把握を容易に実現することができる。また、報告の種類に従ったサブパターンのグループ化は、特にグループインジケーションを構成する文脈において、より容易な処理、誤り検出、パディング（例えば、欠落したスケジューリング割り当てのための）を可能にする。
【００１５】
ビットパターンまたはサブパターンのサイズは、ビットパターンまたはサブパターンのビット数を示すことができる。一般に、サブパターンは、ビットの（より小さい）パターンを表すビットパターンの一部と考えられてもよい。
【００１６】
報告タイプは、一般に、サブパターンの構造および／またはサイズ、および／またはそれによって表され、および／または表されるアクノレッジメント情報を決定し、および／または定義することができる。サブパターンの構造は、サブパターンのどのビットがサブパターンのどこに配置されているか、および／またはビットによって表されるアクノレッジメント情報が関係する１つまたは複数のデータブロックにサブパターンのビットをマッピングするか、および／またはそのサイズ（ビット単位）を示すと考えられてもよい。
【００１７】
データブロックは、一般に、アクノレッジメントシグナリング・プロセスを課すことができるデータおよび／またはビットのブロックであってもよい。データブロックは、１つまたは複数のサブブロックグループ、たとえば、コードブロックグループにグループ化されうる１つまたは複数のサブブロックを備えることができる。データブロックは、特に、１つまたは複数のコードブロックおよび／または１つまたは複数のコードブロックグループを備えることができるトランスポートブロックとすることができる。コードブロックグループのようなサブブロックグループは、１つまたは複数のサブブロック、たとえば、コードブロックを備えることができる。データブロックは、同じまたは異なるサイズ（例えば、ビット数、例えば、システミック（組織的な）ビットおよび／またはコーディングビット）を有することができる１つまたは複数のサブブロックグループを備えると考えられてもよい。データブロックは、システミックビット（送信されるべきデータを表すものと考えられてもよい）および／またはコーディングビット、例えば、誤り検出および／または誤り訂正符号化のような誤り符号化のためのビット、および／またはパリティまたはＣＲＣ（巡回冗長検査）ビットを備えると考えられてもよい。サブブロックおよび／またはサブブロックグループは、同様に、システミックおよび／またはコーディングビットを含み得る。
【００１８】
アクノレッジメントシグナリングプロセスは、ＨＡＲＱプロセスであってもよく、および／またはプロセス識別子、例えば、ＨＡＲＱプロセス識別子またはサブ識別子によって識別されてもよい。コードブックは、特に、ＨＡＲＱコードブックであってもよい。
【００１９】
アクノレッジメント情報は、一般に、例えば、アクノレッジメントシグナリングプロセス、またはデータブロック、サブブロックグループ、またはサブブロックのようなデータブロック構造の要素に関係する、少なくともＡＣＫまたはＮＡＣＫを示してもよい。一般に、アクノレッジメントシグナリングプロセスには、アクノレッジメント情報を提供することができる１つの特定のサブパターンおよび／またはデータブロック構造を関連付けることができる。
【００２０】
アクノレッジメントシグナリングプロセスは、データブロックに関連付けられたコーディングビットに基づいて、および／または１つまたは複数のデータブロックおよび／またはサブブロックおよび／またはサブブロックグループに関連付けられたコーディングビットに基づいて、トランスポートブロックのようなデータブロックの正しいまたは誤った受信、および／または対応するアクノレッジメント情報を決定してもよい。（アクノレッジメントシグナリングプロセスによって決定される）アクノレッジメント情報は、データブロック全体、および／または１つまたは複数のサブブロックまたはサブブロックグループに関係してもよい。したがって、関連するサブパターンは、データブロックの受信ステータスまたはフィードバックを示す１つまたは複数のビット、および／または１つまたは複数のサブブロックまたはサブブロックグループの受信ステータスまたはフィードバックを示す１つまたは複数のビットを備えることができる。サブパターンの各ビットは、特定のデータブロックまたはサブブロックまたはサブブロックグループに関連付けられ、および／またはマッピングされてもよい。いくつかの変形形態では、すべてのサブブロックまたはサブブロックグループが正しく識別された場合、データブロックの正しい受信が示されてもよい。そのような場合、サブパターンは、データブロック全体のためのアクノレッジメント情報を表すことができ、サブブロックまたはサブブロックグループのためのアクノレッジメント情報を提供することと比較してオーバヘッドを低減する。サブパターンがアクノレッジメント情報を提供し、および／またはそれに関連付けられる最小の構造（例えば、サブブロック／サブブロックグループ／データブロック）は、その（最高の）分解能とみなすことができる。いくつかの変形形態では、サブパターンは、例えば、より具体的なエラー検出を可能にするために、データブロック構造のいくつかの要素に関するアクノレッジメント情報を、および／または異なる分解能で提供することができる。例えば、サブパターンが、データブロック全体に関係するアクノレッジメントシグナリングを示す場合であっても、いくつかの変形例では、より高い分解能（例えば、サブブロックまたはサブブロックグループ分解能）が、サブパターンによって提供されてもよい。サブパターンは、一般に、データブロックについてのＡＣＫ／ＮＡＣＫを示す１つまたは複数のビット、および／または、サブブロックまたはサブブロックグループについての、または、２つ以上のサブブロックまたはサブブロックグループについてのＡＣＫ／ＮＡＣＫを示す１つまたは複数のビットを備えうる。
【００２１】
サブパターンは、１つのアクノレッジメントシグナリングプロセスおよび／または１つのコンポーネント搬送波に関係してもよい。特に、１つの（例えば、特定のおよび／または単一の）サブパターンが、例えば、コードブックによって、１つの（例えば、特定のおよび／または単一の）アクノレッジメントシグナリングプロセス、例えば、特定のおよび／または単一のＨＡＲＱプロセスにマッピングされることが考慮されてもよい。ビットパターンでは、サブパターンは、１対１ベースでアクノレッジメントシグナリングプロセスにマッピングされると考えられてもよい。いくつかの変形形態では、例えば、搬送波上で送信される複数のデータストリームがアクノレッジメントシグナリングプロセスを課される場合、同じコンポーネント搬送波に関連付けられた複数のサブパターン（および／または関連するアクノレッジメントシグナリングプロセス）が存在してもよい。
【００２２】
サブパターンは、１つまたは複数のビットを含むことができる。サブパターンの異なるビットｎタプル（ｎは１以上である）は、データブロック構造の異なる要素（例えば、データブロックまたはサブブロックまたはサブブロックグループ）に関連付けられてもよく、および／または異なる分解能を表してもよい。１つの分解能のみがビットパターン、例えばデータブロックによって表される変形例が考えられる。ビットｎタプルは、アクノレッジメント情報（フィードバックとも呼ばれる）、特にＡＣＫまたはＮＡＣＫを表すことができ、オプションで（ｎ＞１の場合）、ＤＴＸ／ＤＲＸまたは他の受信状態を表すことができる。ＡＣＫ／ＮＡＣＫは、例えば、ＡＣＫまたはＮＡＣＫを表すビットシーケンスの曖昧さを改善するために、および／または送信信頼性を改善するために、１ビットによって、または２ビット以上によって表されてもよい。
【００２３】
報告タイプは、一般に、関連するサブパターンの構造、および／または関連するサブパターンのサイズ、および／またはサブパターンが関係するデータブロック構造（たとえば、その要素／または分解能）を定義することができる。報告タイプに基づくグループ化は、一般に、報告タイプの１つまたは複数のパラメータ、特にサブパターンサイズ（ビット単位）に基づくことができる。一般に、異なる報告タイプは、データブロック構造へのビットのマッピングまたはサイズのような少なくとも１つの特性において異なり得る。いくつかの変形形態では、報告タイプは、１つの特性、特に報告タイプのサブパターンのサイズによって表され、および／またはそれによって特徴付けられてもよい。
【００２４】
少なくとも２つのサブパターンは、異なる報告タイプ、特に異なるサイズのものであると考えられてもよい。
【００２５】
コードブックは、構成（設定）されてもよいし、構成可能であってもよい。コードブックを構成することは、複数のメッセージを送信することを有することができ、および／または、コードブックは、別々に構成および／または決定されてもよい１つまたは複数のインジケーションに基づいて構成されてもよい。たとえば、構成することは、１つまたは複数のスケジューリング割り当てを送信することを有することができ、その各々またはいくつかは、たとえば、１つまたは複数のデータブロックのスケジューリングされたデータ送信に応じてスケジューリングされてもよい、たとえば、フィードバックに関連する報告タイプ（アクノレッジメント情報）を示す、コードブック構成のためのインジケーションを提供することができる。スケジューリング割り当ては、ＵＥのために、フィードバックおよび／またはスケジューリングされたデータ送信をスケジューリング／構成することができる。スケジューリング割当は、代替的にまたは追加的に、コードブックに含まれるべき同じ報告タイプまたはサイズのサブパターンの総数、またはそのようなサブパターンのための対応するビットの総数を示してもよい。そのような合計数は、例えば、送信される各スケジューリング割り当てに含まれ得るトータルＤＡＩ（ダウンリンク割り当てインジケータ）によって表されてもよい。トータルＤＡＩまたは総数は、コードブックに含まれる異なる報告タイプの場合に、異なるトータルＤＡＩが、関連するスケジューリング割り当てのために提供されてもよいように、特定の報告タイプに関係してもよい。トータルＤＡＩは、グループインジケーションの実例として見ることができる。コードブックを構成することは、代替的に、または追加的に、１つ以上のグループインジケーション、例えば、トータルＤＡＩを用いて端末を構成することを含むことができる。そのようなグループインジケーションは、スケジューリンググラントで提供されてもよい。特に、トータルＤＡＩは、各スケジューリング割り当てにおいて提供されてもよく、トータルＤＡＩは、それが含まれるスケジューリング割り当てに関係するフィードバックのために示される報告タイプに関係してもよい。さらに、各報告タイプごとのトータルＤＡＩは、スケジューリンググラントのように、異なるメッセージに提供されてもよい。
【００２６】
サブパターンの構造は、一般に、データブロックおよび／またはデータブロック構造の１つまたは複数のサブブロックグループおよび／またはサブブロックへのアクノレッジメント情報を表すビットのマッピングを表すことができる。マッピングは、アクノレッジメント情報の分解能を表すことができる。
【００２７】
一般に、サブパターンをグループ化することは、例えば、各サブパターンが単一のグループに関連付けられるように、ビットパターンの各サブパターンをグループに関連付けることを含むことができる。グループは、例えば、スケジューリングされたまたは構成されたフィードバックに基づいて、１つまたは複数のサブパターンを備えることができる。グループ化は、報告タイプによって示され、および／または報告タイプを表すことができるサイズに従ってサブパターンをグループ化することを含むことができる。そのようなグループ化は、ビットパターンにおいて、サブパターンが、ビットパターンの表現に応じて、増加する（または減少する）サイズに従って、例えば、パターンの開始から終わりまで、例えば左から右にサイズが増加するように配置されるようにすることができる。サブパターンのグループのサイズは、グループ内のサブパターンのサイズの合計、および／またはグループ内のサブパターンの数に基づいてもよく、および／または対応してもよい。一般に、同じサイズおよび／または報告タイプのサブパターンは、異なるグループが、異なる報告タイプ、特にサイズに関連付けられたサブパターンを備えることができるように、サブパターングループに一緒にグループ化されてもよい。グループ化は、（例えば、アクノレッジメントシグナリングをマッピングおよび／または復号化および／または復調するために）論理的であってもよく、および／または、例えば、アクノレッジメントシグナリングを送信するために使用されるリソースを考慮して、物理的であってもよい。コードブックに示されているが、スケジューリング割り当てが受信されず、および／または肯定応答が提供されないサブパターンについては、例えば、ＤＴＸまたはＤＲＸを示すことができる、ビットの事前定義されたパターンなどの障害インジケーションを提供することができる。このような障害インジケーションは、グループ内のサブパターンのサイズに対応するビットサイズを有することができる。グループは、グループのサブパターンに関連付けられたビットのパターンによって表されてもよく、それは、例えば、関連付けられたアクノレッジメントシグナリングプロセス、特に、関連付けられたプロセス識別子に基づいて配置されてもよく、それは、特に、番号またはビットシーケンスによって表現可能で、ソート可能な識別子のセットによって表されてもよい。例えば、グループ内で、サブパターンは、プロセス番号、例えば、最小番号が最初に来るように、最小番号が最後に来るように、または別の方式に従って、ソートされてもよい。隣接番号を有するプロセスは、異なる報告タイプを有してもよく、および／または異なるグループに関連付けられてもよいことに留意されたい。ビットパターンは、例えば、グループのサブパターンの報告タイプおよび／またはサイズに従ってパターン内に配置されてもよい、グループのシーケンスを備え得る。場合によっては、グループは、例えば、最大のグループが最初に来るように（例えば、論理的に、または適切なビットパターン表現で、および／または物理的に）、グループサイズに基づいて配置されてもよい。
【００２８】
グループサイズインジケーションは、一般に、サブパターンのグループのサイズ、および／またはグループ内のビットの総数を示すことによって、例えば、サブパターンの数（対応するサブパターンまたは報告タイプのためのビットの数と組み合わせることができ、これは、グループサイズインジケーションの一部として同じメッセージを提供することができ、または別個に決定または構成することができる）を示すことによって、サブパターンのグループのサイズを示すことができる。グループの大きさのインジケーションは、例えば、トータルＤＡＩであってもよい。コードブックの報告の種類またはグループごとに、グループサイズインジケーションが送信されてもよく、および／または、コードブックは、それに基づいて構成されてもよい。
【００２９】
アクノレッジメントシグナリングを送信することは、コードブックインジケーションを送信することを有することができる。コードブックインジケーションは、使用されるコードブックのサイズおよび／または構造、例えば、グループのアレンジメント（構成）および／または数および／またはサイズ、および／またはビットパターンのサイズを示すことができる。コードブックインジケーションは、アクノレッジメントシグナリングとともに、またはそれとは別個に送信されてもよく、例えば、アクノレッジメントシグナリングとは独立して変調されてもよいし、および／または、別個の時間／周波数リソースで送信されてもよい。アクノレッジメントシグナリングを受信することは、アクノレッジメントシグナリングを復号および／または復調および／またはマッピングするために使用されうる、そのようなコードブックインジケーションに基づいていてもよい。アクノレッジメントシグナリングは、制御チャネル、例えば、ＰＵＣＣＨ（物理アップリンク制御チャネル）またはＰＳＣＣＨ（物理サイドリンク制御チャネル）のような物理制御チャネル上で送信されてもよい。あるいは、アクノレッジメントシグナリングは、データチャネルまたは共有チャネル、特にＰＵＳＣＨ（物理アップリンク共有チャネル）またはＰＳＳＣＨ（物理サイドリンク共有チャネル）のような物理チャネル上で送信され、および／またはそれと多重化されてもよい。この文脈における多重化は、レートマッチングまたはパンクチャリングを含むことができる。チャネルおよび／または多重化は、例えば、制御シグナリング（例えば、スケジューリンググラントを利用する）または上位レイヤシグナリングに基づいて、設定（構成）または構成可能であってもよい。
【００３０】
アクノレッジメント情報は、それぞれ、アクノレッジメントシグナリングとして送信するためのシンボルに符号化および／または変調および／またはマッピングされてもよく、そのようなシグナリングは、アクノレッジメント情報を取り出すために復号および／または復調されてもよいことに留意されたい。送信および／または受信は、そのようなエンコーディング（符号化）またはデコーディング（復号化）および／または変調または復調を含むことができる。
【００３１】
また、プロセッシング回路に、本明細書で説明される方法のいずれか１つを制御および／または実行させる命令を備えるプログラムプロダクトも開示される。
【００３２】
さらに、本明細書で開示されるようなプログラムプロダクトを搬送および／または記憶する搬送波媒体構成が考慮されてもよい。
【図面の簡単な説明】
【００３３】
図面は、本明細書で説明される概念およびアプローチを例示するために提供され、それらの範囲を限定することを意図しない。図面は、以下のものを含む
【図１】は、コードブックの例示的なビットパターンを示す。
【図２】は、ユーザ装置として実装される例示的な無線ノードを示す。
【図３】は、ネットワークノードとして実装される例示的な無線ノードを示す。
【発明を実施するための形態】
【００３４】
図１は、例示的なコードブックによるビットパターンを概略的に示す。ビットパターンのスタート（例えば、ビット０）は、左に配置されてもよく、エンド（例えば、ビットＥ）は、右に配置されてもよいが、他の表現が使用されてもよい。ビットパターンは、３つのグループから形成されるが、異なる数のグループが使用されてもよい。この例では、グループ１は２つのサブパターンを含み、グループ２は３つのサブパターンを含み、グループ３は４つのサブパターンを含む。例えば、スケジューリングされたフィードバックまたは構成されたコードブックに応じて、グループごとに異なる数のサブパターンを使用することができる。特に、グループ当たりのサブパターンの数は任意であってもよく、単調な増加（または減少）分布である必要はない。グループ内の各サブパターンは、同じサイズおよび／または報告タイプを有するが、グループ間のサブパターンサイズおよび／または報告タイプは異なる。この例では、サブパターンのサイズは、サブパターンを表すボックスのサイズによって示されるように、右から左に増加すると考えられてもよい。サイズに基づく他のグループ化は、例えば、最小のサブパターンサイズが最初に来るように順序を逆にすること、またはグループサイズに従って、例えば、減少または増加する順序で考慮されてもよい。数Ｅは、サブパターンのビットの合計に基づいて、ビットパターン内のビットの総数を表すことができる。
【００３５】
図２は、無線ノード、特に端末又は無線デバイス１０を概略的に示し、これは、特にＵＥ（ユーザ装置）として実装されてもよい。無線ノード１０は、記憶装置に接続された制御装置を含むことができるプロセッシング回路（制御回路とも呼ばれることがある）２０を含む。無線ノード１０の任意のモジュール、例えば、通信モジュールまたは決定モジュールは、特に制御装置内のモジュールとして、プロセッシング回路２０内に実装され、および／またはプロセッシング回路２０によって実行可能であってもよい。無線ノード１０はまた、受信および送信または送受信機能（例えば、１つ以上の送信機および／または受信機および／または送受信機）を提供する無線回路２２を備え、無線回路２２はプロセッシング回路に接続または接続可能である。無線ノード１０のアンテナ回路２４は、信号を収集または送信および／または増幅するために、無線回路２２に接続または接続可能である。無線回路２２およびそれを制御するプロセッシング回路２０は、ネットワーク、例えば、本明細書で説明されるようなＲＡＮとのセルラ通信、および／またはサイドリンク通信のために構成される。無線ノード１０は、一般に、本明細書で開示される端末または端末のような無線ノードを動作させる方法のいずれかを実行するように適合されてもよく、特に、それは、対応する回路、例えば、プロセッシング回路、および／またはモジュールを備えてもよい。
【００３６】
図３は、無線ノード１００を概略的に示し、これは、特に、ネットワークノード１００、例えば、ｅＮＢまたはｇＮＢ、あるいはＮＲのための同様のものとして実装されてもよい。無線ノード１００は、記憶装置に接続された制御装置を備えることができるプロセッシング回路（制御回路とも呼ばれることがある）１２０を備える。任意のモジュール、例えば、モジュールの送信および／またはモジュールの受信および／またはノード１００のモジュールの構成は、プロセッシング回路１２０内に実装され、および／またはプロセッシング回路１２０によって実行可能であってもよい。プロセッシング回路１２０は、ノード１００の無線回路１２２を制御するために接続され、無線回路１２２は、受信機および送信機および／または送受信機機能（例えば、１つ以上の送信機および／または受信機および／または送受信機を備える）を提供する。アンテナ回路１２４は、信号の受信または送信および／または増幅のために、無線回路１２２に接続または接続可能であってもよい。ノード１００は、本明細書で開示される無線ノードまたはネットワークノードを動作させるための方法のいずれかを実行するように適合されてもよく、特に、それは、対応する回路、例えば、プロセッシング回路、および／またはモジュールを備えてもよい。アンテナ回路１２４は、アンテナアレイに接続されてもよく、および／またはアンテナアレイを備えてもよい。ノード１００と、それぞれその回路は、本明細書に記載されるようなネットワークノードまたは無線ノードを動作させる方法のいずれかを実行するように適合されてもよい。
【００３７】
データの送信および／またはデータチャネル上の送信は、特に、ユーザデータの送信またはユーザプレーン上の送信であってもよい。このような送信に制御情報を多重化することによって、ユーザプレーン送信は、制御プレーンのためにハイブリッド化されることによって考慮されてもよい。データ情報は、データチャネル上で送信される情報であってもよく、および／またはデータビットによって表されてもよい。送信のためのビット、例えば、（制御情報を表す）制御情報ビットのデータビットは、送信されるべき１つまたは複数の情報を表すことができるシステミック情報またはシステミックビットと、オプションとして、例えば、誤り符号化（特に、誤り検出符号化および／または前方誤り訂正符号化）のためのコーディングビットとを含むことができる。コーディングビットは、例えば、アクノレッジメントシグナリングプロセスのコンテキストにおいて、システミックビットを正しく復号および／または復調するために使用されてもよい。システミックビットの内容は、本明細書に記載されるアプローチに対して透過的であっても無関係であってもよい。
【００３８】
アクノレッジメントシグナリングプロセスおよび／または関連するシグナリングおよび／またはコーディングビットは、無線レイヤ、特に物理レイヤ、または場合によってはＭＡＣ（媒体アクセス制御）レイヤに関連して実装されてもよい。
【００３９】
送信タイミング構造および／またはシンボルおよび／またはスロットおよび／またはミニスロットおよび／またはサブキャリヤおよび／または搬送波などの特定のリソース構造への言及は、事前定義および／または構成可能であってもよい特定のヌメロロジーに関係してもよい。送信タイミング構造は、１つまたは複数のシンボルをカバーすることができるタイム間隔（時間間隔）を表すことができる。送信タイミング構造のいくつかの例は、サブフレーム、スロット、およびミニスロットである。スロットは、例えば、６若しくは７、又は１２若しくは１４のような、予め定められたおよび／または構成された又は構成可能な数のシンボルを含むことができる。ミニスロットは、スロットのシンボルの数、特に１、２、３、または４個のシンボルよりも少ない数の（特に構成可能または構成可能であってもよい）シンボルを含み得る。送信タイミング構造は、特定の長さの時間間隔をカバーすることができ、これは、使用されるシンボル時間長および／またはサイクリックプレフィックスに依存することができる。送信タイミング構造は、例えば、通信のために同期された、時間ストリーム中の特定の時間間隔に関係し、および／または、それをカバーすることができる。送信のために使用および／またはスケジューリングされるタイミング構造、例えば、スロットおよび／またはミニスロットは、他の送信タイミング構造によって提供および／または定義されるタイミング構造に関連してスケジューリングされ、および／または同期されてもよい。そのような送信タイミング構造は、例えば、最小のタイミングユニットを表す個々の構造内のシンボル時間間隔を用いて、タイミンググリッドを定義することができる。そのようなタイミンググリッドは、例えば、スロットまたはサブフレームによって定義されてもよい（場合によっては、サブフレームは、スロットの特定の変形と見なされてもよい）。送信タイミング構造は、おそらく使用されるサイクリックプレフィックスに加えて、そのシンボルの持続時間に基づいて決定される持続時間（時間の長さ）を有してもよい。送信タイミング構造のシンボルは、同じ持続時間を有してもよく、あるいは、いくつかの変形例では、異なる持続時間を有してもよい。送信タイミング構造におけるシンボルの個数は、予め定義され、および／または構成され、または構成可能であり、および／またはヌメロロジーに依存しうる。ミニスロットのタイミングは、一般に、特にネットワークおよび／またはネットワークノードによって構成又は構成可能である。タイミングは、送信タイミング構造の任意のシンボル、特に１つまたは複数のスロットで開始および／または終了するように構成可能であってもよい。
【００４０】
一般に、特に処理および／または制御回路上で実行されるときに、処理および／または制御回路に、本明細書で説明される任意の方法を実行および／または制御させるように適合された命令を備えるプログラムプロダクトが考慮される。また、本明細書で説明されるようなプログラムプロダクトを搬送および／または記憶する搬送波媒体アレンジメント（構成）も考えられる。
【００４１】
搬送波媒体構成は、１つ以上の搬送波媒体を含み得る。一般に、搬送波媒体は、処理または制御回路によってアクセス可能および／または読み取り可能および／または受信可能であってもよい。データおよび／またはプログラムプロダクトおよび／またはコードを記憶することは、データおよび／またはプログラムプロダクトおよび／またはコードを搬送することの一部と見なすことができる。搬送波媒体は、一般に、ガイド／搬送媒体および／または記憶媒体を含むことができる。ガイド／搬送媒体は、信号、特に電磁信号および／または電気信号および／または磁気信号および／または光信号を搬送および／または搬送および／または記憶するように適合されてもよい。搬送媒体、特にガイド／搬送媒体は、そのような信号をガイドして搬送するように適合されてもよい。搬送媒体、特にガイド／搬送媒体は、電磁場、例えば電波またはマイクロ波、および／または光学的に透過性の材料、例えばガラスファイバ、および／またはケーブルを含むことができる。記憶媒体は、揮発性または不揮発性とすることができるメモリ（記憶装置）、バッファ、キャッシュ、光ディスク、磁気記憶装置、フラッシュ記憶装置などのうちの少なくとも１つを備えることができる。
【００４２】
概して、ヌメロロジーおよび／またはサブキャリヤ間隔は、搬送波のサブキャリヤの（周波数領域における）帯域幅、および／または搬送波におけるサブキャリヤの数、および／または搬送波におけるサブキャリヤの番号付けを示してもよい。異なるヌメロロジーは、特に、サブキャリヤの帯域幅において異なり得る。いくつかの変形形態では、搬送波内のすべてのサブキャリヤは、それらに関連付けられた同じ帯域幅を有する。ヌメロロジーおよび／またはサブキャリヤ間隔は、特にサブキャリヤ帯域幅に関して、搬送波間で異なっていてもよい。搬送波に関連するタイミング構造のシンボル時間長および／または時間長は、搬送波周波数、および／またはサブキャリヤ間隔および／またはヌメロロジーに依存してもよい。特に、異なるヌメロロジーは、異なるシンボル時間長を有してもよい。
【００４３】
シグナリングは、一般に、１つまたは複数のシンボルおよび／または信号および／またはメッセージを備えることができる。信号は、１つまたは複数のビットを含むことができる。インジケーションは、シグナリングを表すことができ、および／または信号として、または複数の信号として実装することができる。１つまたは複数の信号は、メッセージに含まれ、および／またはメッセージによって表されてもよい。シグナリング、特に制御シグナリングは、複数の信号および／またはメッセージを備えることができ、これらの信号および／またはメッセージは、異なる搬送波上で送信され、および／または、例えば、１つまたは複数のそのようなプロセスおよび／または対応する情報を表し、および／またはそれに関係する、異なるシグナリングプロセスに関連付けられることができる。インジケーションは、シグナリングを備えることができ、および／または複数の信号および／またはメッセージを備えることができ、および／またはその中に含まれることができ、それらは、異なる搬送波上で送信されることができ、および／または、たとえば、１つまたは複数のそのようなプロセスを表し、および／またはそれに関係する、異なるアクノレッジメントシグナリングプロセスに関連付けられることができる。
【００４４】
アップリンクまたはサイドリンクシグナリングは、ＯＦＤＭＡ（直交周波数分割多元接続）またはＳＣ-ＦＤＭＡ（単一搬送波周波数分割多元接続）シグナリングであってもよい。ダウンリンクシグナリングは、特に、ＯＦＤＭＡシグナリングでありうる。しかしながら、シグナリングは、それに限定されない（フィルタバンクベースのシグナリングは、１つの代替処理と考えられてもよい）。
【００４５】
無線ノードは、一般に、ワイヤレスおよび／または無線（および／またはマイクロ波）周波数通信のために、および／または、例えば、通信規格に従って、エアインターフェースを利用する通信のために適合された装置またはノードと考えられてもよい。
【００４６】
無線ノードは、ネットワークノードであってもよいし、ユーザ装置または端末であってもよい。ネットワークノードは、特に本明細書で説明されるようなＲＡＮのための、無線通信ネットワークの任意の無線ノード、たとえば、基地局および／またはｇＮｏｄｅＢ（ｇＮＢ）および／またはｅＮｏｄｅＢ（ｅＮＢ）および／または中継ノードおよび／またはマイクロ／ナノ／ピコ／フェムトノードおよび／または他のノードであってもよい。
【００４７】
無線デバイス、ユーザ装置（ＵＥ）、および端末という用語は、本明細書の文脈において相互交換可能であると考えられてもよい。無線デバイス、ユーザ装置、または端末は、ワイヤレス通信ネットワークを利用する通信のためのエンド装置を表すことができ、および／または規格に従ってユーザ装置として実装されてもよい。ユーザ装置の例は、スマートフォンのような電話機、パーソナル通信装置、モバイル電話機または端末、コンピュータ、特にラップトップ、無線機能を有する（および／またはエアインターフェースに適合された）センサまたは機械、特にＭＴＣ（マシンタイプ通信、Ｍ２Ｍとも呼ばれることもある）、または無線通信に適合された車両を含むことができる。ユーザ装置または端末は、モバイルであっても固定であってもよい。
【００４８】
無線ノードは、一般に、プロセッシング回路および／または無線回路を備えることができる。回路は、集積回路を含むことができる。プロセッシング回路は、１つまたは複数のプロセッサおよび／または制御装置（例えば、マイクロ制御装置）、および／またはＡＳＩＣ（特定用途向け集積回路）および／またはＦＰＧＡ（フィールドプログラマブルゲートアレイ）などを備えることができる。プロセッシング回路は、１つまたは複数の記憶装置または記憶装置構成を備え、および／または１つまたは複数の記憶装置または記憶装置構成に（動作可能に）接続または接続可能であると考えられてもよい。記憶装置構成は、１つまたは複数の記憶装置を備えることができる。記憶装置は、デジタル情報を記憶するように適合されてもよい。記憶装置の例は、揮発性および不揮発性記憶装置、および／またはランダムアクセス記憶装置（ＲＡＭ）、および／またはリードオンリ記憶装置（ＲＯＭ）、および／または磁気および／または光記憶装置、および／またはフラッシュ記憶装置、および／またはハードディスク記憶装置、および／またはＥＰＲＯＭまたはＥＥＰＲＯＭ（Ｅｒａｓａｂｌｅ  Ｐｒｏｇｒａｍｍａｂｌｅ  ＲＯＭ  または  Ｅｌｅｃｔｒｉｃａｌｌｙ  Ｅｒａｓａｂｌｅ  Ｐｒｏｇｒａｍｍａｂｌｅ  ＲＯＭ）を含む。無線回路は、１つまたは複数の送信機および／または受信機および／または送受信機を備えることができ（送受信機は、送信機および受信機として動作することができ、および／または、例えば、１つのパッケージまたはハウジング内で受信および送信するための結合または分離された回路を備えることができ）、および／または、１つまたは複数の増幅器および／または発振器および／またはフィルタを備えることができ、および／または、アンテナ回路および／または１つまたは複数のアンテナを備えることができ、および／または、アンテナ回路および／または１つまたは複数のアンテナに接続または接続可能であってもよい。
【００４９】
本明細書で開示されるモジュールのいずれか１つまたはすべては、ソフトウエアおよび／またはファームウエアおよび／またはハードウエアで実施されてもよい。異なるモジュールは、無線ノードの異なる構成要素、例えば、異なる回路または回路の異なる部分に関連付けられてもよい。モジュールは、様々な構成要素および／または回路にわたって分散されると考えられてもよい。本明細書で説明されるプログラムプロダクトは、プログラムプロダクトが実行されることが意図された装置（例えば、ユーザ装置またはネットワークノード）に関連したモジュールを備えることができる（実行は、関連する回路上で実行されてもよい）。
【００５０】
無線アクセスネットワークは、無線通信ネットワーク、および／または特に通信規格による無線アクセスネットワーク（ＲＡＮ）であってもよい。通信規格は、特に、３ＧＰＰおよび／または５Ｇによる規格、例えば、ＮＲまたはＬＴＥ、特にＬＴＥ  Ｅｖｏｌｕｔｉｏｎによる規格であってもよい。
【００５１】
無線通信ネットワークは、無線アクセスネットワーク（ＲＡＮ）であっても、また／又は、コアネットワークに接続又は接続可能な任意の種類のセルラジオおよび／または無線ネットワークから成ることができる。本明細書で説明されるアプローチは、５Ｇネットワーク、例えば、ＬＴＥエボリューションおよび／またはＮＲ（ニューレディオ：新無線）、それぞれの後継に特に適している。ＲＡＮは、１つまたは複数のネットワークノードを備えることができる。ネットワークノードは、特に、１つまたは複数の端末との無線および／または無線および／またはセルラ通信に適合された無線ノードであってもよい。端末は、ＲＡＮとの無線および／または無線および／またはセルラ通信に適合された任意の装置、例えば、ユーザ装置（ＵＥ）、携帯電話機、スマートフォン、コンピューティング装置、または車両通信装置、またはマシンタイプ通信（ＭＴＣ）のための装置などであってもよい。端末は、モバイルであってもよく、場合によっては固定されていてもよい。ＲＡＮまたはワイヤレス通信ネットワークは、少なくとも１つのネットワークノードおよび端末、または少なくとも２つの無線ノードを含むことができる。
【００５２】
ダウンリンクでの送信は、ネットワークまたはネットワークノードから端末への送信に関係してもよい。アップリンクでの送信は、端末からネットワークまたはネットワークノードへの送信に関係してもよい。サイドリンクでの送信は、１つの端末から別の端末への（直接的である）送信に関連することができる。アップリンク、ダウンリンク、およびサイドリンク（例えば、サイドリンク送信および受信）は、通信方向と見なされてもよい。いくつかの変形例では、アップリンクおよびダウンリンクはまた、例えば、基地局間または同様のネットワークノード間の、特にそのようなもので終端する通信のための、例えば、ワイヤレスバックホールおよび／または中継通信および／または（ワイヤレス）ネットワーク通信のための、ネットワークノード間のワイヤレス通信を説明するために使用されてもよい。バックホールおよび／または中継通信および／またはネットワーク通信は、サイドリンク通信またはそれに類似する形態として実装されると考えられてもよい。
【００５３】
シグナリングは、一般に、１つまたは複数の信号および／または１つまたは複数のシンボルを備えることができる。
【００５４】
制御情報または制御情報メッセージまたは対応するシグナリング（制御信号、ダウンリンクチャネル（または、いくつかの場合にはサイドリンクチャネル、たとえば、別のＵＥをスケジューリングする１つのＵＥ）であってもよい物理制御チャネル上で送信されてもよい。例えば、制御情報／割り当て情報は、ＰＤＣＣＨ（物理ダウンリンク制御チャネル）および／またはＰＤＳＣＨ（物理ダウンリンク共有チャネル）および／またはＨＡＲＱ固有チャネル上のネットワークノードによってシグナリングされてもよい。例えばアップリンク制御情報の形態としてのアクノレッジメントシグナリングは、ＰＵＣＣＨ（物理アップリンク制御チャネル）および／またはＰＵＳＣＨ（物理アップリンク共有チャネル）および／またはＨＡＲＱ固有チャネル上で端末によって送信されてもよい。マルチチャネルは、マルチコンポーネント／マルチキャリアインジケーションまたはシグナリングに適用することができる。
【００５５】
シグナリング、特に、例えば、アクノレッジメントシグナリングおよび／またはリソース要求情報を含む、または表す制御信号送信することは、符号化および／または変調することを含むことができる。符号化および／または変調は、誤り検出符号化および／または前方誤り訂正符号化および／またはスクランブリングを含むことができる。制御シグナリングを受信することは、対応する復号および／または復調を含むことができる。誤り検出符号化は、パリティまたはチェックサム手法、たとえばＣＲＣ（巡回冗長検査）を備えることができ、および／またはそれに基づくことができる。前方誤り訂正符号化は、例えば、ターボ符号化および／またはリード・マラー符号化、および／または極符号化および／またはＬＤＰＣ符号化（低密度パリティ検査）を含むことができ、および／またはそれに基づくことができる。使用される符号化のタイプは、符号化された信号が関連付けられるチャネル（例えば、物理チャネル）に基づいてもよい。
【００５６】
インジケーションは、一般に、それが表すおよび／または示す情報を明示的および／または暗黙的に示すことができる。暗黙のインジケーションは、例えば、送信のために使用される位置および／またはリソースに基づくことができる。明示的なインジケーションは、例えば、１つ以上のパラメータ、および／または１つ以上の指標、および／または、情報を表す１つ以上のビットパターンを用いたパラメータ化に基づいてもよい。特に、利用されるリソースシーケンスに基づいて、本明細書で説明されるような制御シグナリングは、制御シグナリングタイプを暗黙的に示すと考えられてもよい。
【００５７】
リソースエレメントは、一般的に、最小の個別に使用可能および／または符号化可能および／または復号可能および／または変調可能、および／または復調可能な時間周波数リソースを記述することができ、および／または、シンボル長を含む時間周波数リソースと、周波数のサブキャリヤを記述することができる。信号は、リソースエレメントに割り当て可能および／または割り当てられてもよい。サブキャリヤは、例えば、規格によって定義されるような、搬送波のサブバンドでありうる。搬送波は、送信および／または受信のための周波数および／または周波数帯域を定義することができる。いくつかの変形例では、（一緒に符号化／変調された）信号は、２つ以上のリソースエレメントをカバーすることができる。リソースエレメントは、一般に、対応する規格、例えば、ＮＲまたはＬＴＥによって定義されてもよい。シンボル時間長および／またはサブキャリヤ間隔（および／またはヌメロロジー）は、異なるシンボルおよび／またはサブキャリヤの間で異なることがあるので、異なるリソースエレメントは、時間および／または周波数領域において、特に、異なる搬送波に関係するリソースエレメントにおいて、異なる拡張（長さ／幅）を有することができる。
【００５８】
リソースは、一般に、時間-周波数および／またはコードリソースを表すことができ、その上で、例えば、特定のフォーマットに従って、シグナリングが通信され、例えば、送信および／または受信され、および／または送信および／または受信のために意図されてもよい。
【００５９】
境界シンボルは、一般に、送信のための開始シンボルまたは受信のための終了シンボルを表すことができる。開始シンボルは、たとえば、制御シグナリングまたはデータシグナリングなど、特に、アップリンクまたはサイドリンク制御シグナリングの開始シンボルであってもよい。そのようなシグナリングは、データチャネルまたは制御チャネル、例えば、物理チャネル、特に、物理アップリンク共有チャネル（ＰＵＳＣＨのようである）またはサイドリンクデータまたは共有チャネル、または物理アップリンク制御チャネル（ＰＵＣＣＨのようである）またはサイドリンク制御チャネル上にあってもよい。開始シンボルが（例えば、制御チャネル上の）制御シグナリングに関連付けられている場合、制御シグナリングは、（サイドリンクまたはダウンリンクでの）受信されたシグナリングに応答することができ、例えば、それに関連付けられたアクノレッジメントシグナリングを表し、それはＨＡＲＱシグナリングまたはＡＲＱシグナリングであってもよい。終了シンボルは、無線ノードまたはユーザ装置のために意図された、またはスケジューリングされた、ダウンリンクまたはサイドリンク送信またはシグナリングの（時間方向における）終了シンボルを表すことができる。そのようなダウンリンクシグナリングは、特に、例えば、ＰＤＳＣＨ（物理ダウンリンク共有チャネル）のような物理ダウンリンクチャネル上のデータシグナリングであってもよい。開始シンボルは、そのような終了シンボルに基づいて、および／またはそれに関連して決定されてもよい。
【００６０】
無線ノード、特に端末またはユーザ装置を構成することは、コンフィギュレーション（構成）に従って動作するように、適合しているか、使役されるか、設定されるか、および／または命令される無線ノードを指すことができる。構成は、別の装置、例えば、ネットワークノード（例えば、基地局またはｅノードＢのようなネットワークの無線ノード）またはネットワークによって行われてもよく、そのケースでは、構成されるべき無線ノードにコンフィギュレーションデータを送信することを含んでもよい。そのようなコンフィギュレーションデータは、構成されるべきコンフィギュレーション（構成）を表すことができ、および／または、構成に関係する１つ以上の命令、例えば、割り当てられたリソース、特に周波数リソース上で送信および／または受信するための構成を備えることができる。無線ノードは、例えば、ネットワークまたはネットワークノードから受信されたコンフィギュレーションデータに基づいて、それ自身を構成することができる。ネットワークノードは、構成するためのその回路（複数可）を利用することができ、および／または利用するように適合していてもよい。割り当て情報は、コンフィギュレーションデータのフォームと見なされてもよい。コンフィギュレーションデータは、コンフィギュレーション情報、および／または１つ以上の対応するインジケーションおよび／またはメッセージを含むことができ、および／またはそれらによって表されてもよい。
【００６１】
一般に、構成することは、構成を表すコンフィギュレーションデータを決定することと、それを１つまたは複数の他のノード（並列および／または逐次）に提供することとを含むことができ、それは、それを無線ノード（または、それが無線デバイスに到達するまで繰り返されてもよい別のノード）にさらに送信することができる。代替的に、または追加的に、例えば、ネットワークノードまたは他の装置によって無線ノードを構成することは、コンフィギュレーションデータおよび／またはコンフィギュレーションデータに関連するデータを、例えば、ネットワークのより高いレベルのノードであってもよいネットワークノードのような別のノードから受信すること、および／または受信したコンフィギュレーションデータを無線ノードに送信することを含み得る。したがって、構成を決定し、コンフィギュレーションデータを無線ノードに送信することは、様々なネットワークノードまたはエンティティによって実行されてもよく、それらは、好適なインターフェース、例えば、ＬＴＥのケースではＸ２インターフェース、またはＮＲのための対応するインターフェースを介して通信することが可能であってもよい。端末を構成することは、端末のためのダウンリンクおよび／またはアップリンク送信、例えば、ダウンリンクデータおよび／またはダウンリンク制御シグナリングおよび／またはＤＣＩおよび／またはアップリンクシグナリング、特にアクノレッジメントシグナリングをスケジューリングすること、および／またはリソースおよび／またはリソースプールを構成することを有することができる。
【００６２】
あるリソース構造と別のリソース構造が、例えば、一方が上側周波数境界であり、他方が下側周波数境界である、共通の境界周波数を共有する場合、あるリソース構造と別のリソース構造とが周波数領域において隣接していると考えられてもよい。そのような境界は、例えば、サブキャリヤｎに割り当てられた帯域幅の上端によって表されてもよく、当該境界は、サブキャリヤｎ＋１に割り当てられた帯域幅の下端も表している。
【００６３】
あるリソース構造と別のリソース構造が、例えば、一方が上側（または図では右側）の境界であり、他方が下側（または図では左側）の境界である、共通の境界時間を共有する場合、時間領域において、あるリソース構造と別のリソース構造は隣接していると考えられてもよい。そのような境界は、例えば、シンボルｎに割り当てられたシンボル時間間隔の終わりによって表されてもよく、当該境界は、シンボルｎ＋１に割り当てられたシンボル時間間隔の始まりも表す。
【００６４】
一般に、ドメイン内の別のリソース構造によって隣接されるリソース構造は、ドメイン内の他のリソース構造に接するおよび／または隣接すると呼ばれることもある。
【００６５】
リソース構造は、一般に、時間領域および／または周波数領域における構造を表すことができ、特に、時間間隔および周波数間隔を表すことができる。リソース構造は、リソースエレメントを有するか、および／または、リソースエレメントから構成されることができ、および／または、リソース構造の時間間隔は、シンボル時間間隔を有するか、および／または、シンボル時間間隔（複数可）から構成され、および／または、リソース構造の周波数間隔は、サブキャリヤを有するか、および／または、サブキャリア（複数可）から構成されることができる。リソースエレメントは、リソース構造、スロット、またはミニスロット、または物理リソースブロック（ＰＲＢ）の一例と考えることができ、あるいはそれらの一部は、他のものと考えられてもよい。リソース構造は、特定のチャネル、例えば、ＰＵＳＣＨまたはＰＵＣＣＨ、特に、スロットまたはＰＲＢより小さいリソース構造に関連付けられてもよい。
【００６６】
搬送波は、一般に、周波数範囲または帯域を表すことができ、および／または中心周波数および関連する周波数間隔に関係することができる。搬送波は、複数のサブキャリヤを含むと考えられてもよい。搬送波は、例えば、１つまたは複数のサブキャリヤによって表される中心周波数または中心周波数間隔をそれに割り当てることができる（各サブキャリヤには、一般に、周波数帯域幅または間隔が割り当てられる）。異なる搬送波は、重なり合わないことがあり、および／または周波数領域において隣接することがある。
【００６７】
本開示における「無線」という用語は、一般に無線通信に関係すると考えられてもよく、マイクロ波および／またはミリメートルおよび／または他の周波数、特に１００ＭＨｚまたは１ＧＨｚと１００ＧＨｚまたは２０または１０ＧＨｚとの間を利用する無線通信を含んでもよいことに留意されたい。そのような通信は、１つまたは複数の搬送波を利用することができる。
【００６８】
無線ノード、特にネットワークノードまたは端末は、一般に、特に少なくとも１つの搬送波上で、無線および／または無線信号および／またはデータ、特に通信データを送信および／または受信するように適合された任意の装置であってもよい。少なくとも１つの搬送波は、ＬＢＴプロシージャ（ＬＢＴ搬送波と呼ぶことができる）に基づいてアクセスされる搬送波、たとえば、免許が不要な搬送波を備えることができる。搬送波は、キャリアアグリゲーションの一部であると考えられてもよい。
【００６９】
セルまたは搬送波上での受信または送信は、セルまたは搬送波に関連する周波数（帯域）またはスペクトルを利用して受信または送信することを指すことができる。セルは、一般に、１つまたは複数の搬送波、特に、ＵＬ通信／送信のための少なくとも１つの搬送波（ＵＬ搬送波と呼ばれる）と、ＤＬ通信／送信のための少なくとも１つの搬送波（ＤＬ搬送波と呼ばれる）とを備えることができ、および／または、それらによって定義されてもよい。セルは、異なる数のＵＬ搬送波とＤＬ搬送波とを備えると考えられてもよい。代替的に、または追加的に、セルは、例えば、ＴＤＤベースのアプローチにおいて、ＵＬ通信／送信およびＤＬ通信／送信のための少なくとも１つの搬送波を備えることができる。
【００７０】
チャネルは、一般に、論理チャネル、トランスポートチャネル、または物理チャネルとすることができる。チャネルは、１つまたは複数の搬送波、特に複数のサブキャリヤを備えることができ、および／または、１つまたは複数の搬送波上に配置されてもよい。制御シグナリング／制御情報を搬送および／または搬送するためのチャネルは、特に、それが物理レイヤチャネルである場合、制御チャネルと見なされてもよい。
【００７１】
概して、シンボルは、関連付けられた搬送波の搬送波および／またはサブキャリヤ間隔および／またはヌメロロジーに依存しうるシンボル時間長を表し、および／または、シンボル時間長に関連付けられうる。したがって、シンボルは、周波数領域に関連したシンボル時間長を有する時間間隔を示すと考えられる。シンボル時間長は、シンボルの搬送波周波数および／または帯域幅および／またはヌメロロジーおよび／またはサブキャリヤ間隔に依存しうる。したがって、異なるシンボルは、異なるシンボル時間長を有することができる。
【００７２】
サイドリンクは、一般に、２つのＵＥおよび／または端末間の通信チャネル（またはチャネル構成）を表すことができ、データは、通信チャネルを介して、たとえば、直接的に、および／またはネットワークノードを介して中継されることなく、参加者（ＵＥおよび／または端末）間で送信される。サイドリンクは、参加者のエアインターフェース（複数可）を介してのみ、および／または直接設定されてもよいが、サイドリンク通信チャネルを介して直接接続されてもよい。いくつかの変形形態では、サイドリンク通信は、例えば、固定的に定義されたリソース上で、および／または参加者間でネゴシエートされたリソース上で、ネットワークノードによる対話なしに実行されてもよい。代替的に、または追加的に、ネットワークノードは、例えば、サイドリンク通信のためにリソース、特に１つまたは複数のリソースプールを構成することによって、および／または、例えば課金目的のためにサイドリンクを監視することによって、いくつかの制御機能を提供すると考えられてもよい。
【００７３】
サイドリンク通信はまた、例えばＬＴＥのコンテキストにおいて、デバイス・ツー・デバイス（Ｄ２Ｄ）通信、および／または場合によってはＰｒｏＳｅ（近接サービス）通信と呼ばれることがある。サイドリンクは、Ｖ２ｘ通信（車両通信）、例えば、Ｖ２Ｖ（車両対車両）、Ｖ２Ｉ（車両対インフラストラクチャー）、および／またはＶ２Ｐ（車両対人間）のコンテキストで実装されてもよい。サイドリンク通信に適合された任意のデバイスは、ユーザ装置または端末と見なされてもよい。
【００７４】
サイドリンク通信チャネル（または構造）は、１つまたは複数の（たとえば、物理または論理）チャネル、たとえば、肯定応答位置インジケーションなどの制御情報を搬送することができるＰＳＣＣＨ（物理サイドリンク制御チャネル）、および／または、たとえば、データおよび／またはアクノレッジメントシグナリングを搬送することができるＰＳＳＣＨ（物理サイドリンク共有チャネル）を備えることができる。サイドリンク通信チャネル（または構造）は、例えば、特定のライセンスおよび／または規格に従って、セルラ通信に関連する、および／またはセルラ通信によって使用されている、１つまたは複数の搬送波および／または周波数範囲に、関連しているか、および／または使用されると考えられてもよい。参加者は、（物理的である）チャネルおよび／またはリソースを、特に周波数領域において、および／または搬送波のような周波数リソースに関連して共有することができ、その結果、２つ以上の参加者が、例えば、同時に、および／または時間シフトされて、その上で送信することができ、および／または、特定の参加者に関連する特定のチャネルおよび／またはリソースが存在することができ、その結果、例えば、１つの参加者のみが、特定のチャネル上で、または、特定のリソースまたは特定のリソース上で、例えば、周波数領域において、および／または、１つ以上の搬送波またはサブキャリヤに関連して送信することができる。
【００７５】
サイドリンクは、特定の規格、例えば、ＬＴＥベースの規格および／またはＮＲに準拠し、および／またはそれに従って実装されてもよい。サイドリンクは、例えば、ネットワークノードによって構成され、および／または参加者間で事前に構成され、および／またはネゴシエートされるような、ＴＤＤ（時分割複信）および／またはＦＤＤ（周波数分割複信）テクノロジを利用することができる。ユーザ装置自身、および／またはその無線回路および／またはプロセッシング回路が、例えば、１つまたは複数の周波数範囲および／または搬送波上で、および／または特に特定の規格に従って１つまたは複数のフォーマットでサイドリンクを利用するように適合している場合、ユーザ装置は、サイドリンク通信に適合していると見なされてもよい。一般に、無線アクセスネットワークは、サイドリンク通信の２つの参加者によって定義されると考えられてもよい。代替的に、または追加的に、無線アクセスネットワークは、そのようなノードとのネットワークノードおよび／または通信で表され、および／または定義され、および／または関連付けられてもよい。
【００７６】
通信または通信は、一般に、シグナリングを送信および／または受信することを含むことができる。サイドリンク（またはサイドリンクシグナリング）上の通信は、（それぞれシグナリングのために）通信のためにサイドリンクを利用することを含むことができる。サイドリンク送信および／またはサイドリンク上での送信は、サイドリンクを利用する送信、例えば、関連するリソースおよび／または送信フォーマットおよび／または回路および／またはエアインターフェースを備えると考えられてもよい。サイドリンクでのサイドリンク受信および／または受信は、サイドリンクを利用する受信、例えば、関連するリソースおよび／または送信フォーマットおよび／または回路および／またはエアインターフェースを備えると考えられてもよい。サイドリンク制御情報（例えば、ＳＣＩ）は、一般に、サイドリンクを利用して送信される制御情報を含むと考えられてもよい。
【００７７】
一般に、キャリアアグリゲーション（ＣＡ）は、少なくとも１つの送信方向（例えば、ＤＬおよび／またはＵＬ）のための複数の搬送波を備えるサイドリンク上での、または、ワイヤレスおよび／またはセルラ通信ネットワークおよび／またはネットワークノードと端末との間の、無線コネクションおよび／または通信リンクのコンセプトを指すとともに、搬送波をアグリゲーションすることを指す。対応する通信リンクは、キャリアアグリゲーション通信リンクまたはＣＡ通信リンクと呼ばれることがあり、キャリアアグリゲーションにおける搬送波は、コンポーネントキャリア（ＣＣ）と呼ばれることがある。そのようなリンクでは、データは、キャリアアグリゲーションの搬送波のうちの２つ以上および／またはすべての搬送波（搬送波のアグリゲーション）を介して送信されてもよい。キャリアアグリゲーションは、制御情報が送信されてもよい１つ（または複数）の専用制御搬送波および／またはプライマリ搬送波（例えば、プライマリコンポーネント搬送波またはＰＣＣと呼ばれ得る）を備えることができ、制御情報は、プライマリ搬送波およびセカンダリ搬送波（またはセカンダリコンポーネント搬送波、ＳＣＣ）と呼ばれ得る他の搬送波を指すことができる。しかしながら、いくつかのアプローチでは、制御情報は、集合体の２つ以上の搬送波、例えば、１つ以上のＰＣＣ、および、１つのＰＣＣと１つ以上のＳＣＣを介して送信されてもよい。
【００７８】
送信は、一般に、特定のチャネルおよび／または特定のリソースに関係し、特に、開始シンボルと終了シンボルとを有し、それらの間の間隔をカバーする。スケジューリングされた送信は、スケジューリングされた、および／または予想された、および／またはそのリソースがスケジューリングされた、または提供された、または予約された送信であってもよい。しかしながら、全てのスケジューリングされた送信が実現されなければならないわけではない。例えば、スケジューリングされたダウンリンク送信は、受信されないかもしれないし、またはスケジューリングされたアップリンク送信は、電力制限、または他の影響（例えば、免許が不要な搬送波上のチャネルがすでに占有されている）のために送信されないかもしれない。送信は、スロットのような送信タイミング構造内の送信タイミングサブ構造（例えば、ミニスロット、および／または送信タイミング構造の一部のみをカバーする）のためにスケジューリングされてもよい。境界シンボルは、送信が開始または終了する送信タイミング構造内のシンボルを示すことができる。
【００７９】
本明細書の文脈で、事前に定義されたとは、例えば、規格で定義されているか、および／または、例えば、構成されることとは無関係に、例えば、記憶装置に記憶されているなど、ネットワーク又はネットワークノードからの特別な構成なしに利用可能である、関連情報を指すことがある。構成または構成可能は、例えば、ネットワークまたはネットワークノードによって、構成／構成されている、対応する情報に関連すると考えられてもよい。
【００８０】
ミニスロットは、構成に基づいて送信および／または受信されてもよい。
【００８１】
ミニスロット構成および／または構造構成のような構成は、例えば、それが有効である時間／送信のために送信をスケジューリングすることができ、および／または、送信は、別個のシグナリングまたは別個の構成、例えば、別個のＲＲＣシグナリングおよび／またはダウンリンク制御情報シグナリングによって、スケジューリングされてもよい。ＭＡＣ（媒体アクセス制御）シグナリングまたはＲＲＣレイヤシグナリングのような上位レイヤシグナリングとは対照的に、ダウンリンク制御情報または特にＤＣＩシグナリングは、物理レイヤシグナリングと見なされてもよいことに留意されたい。シグナリングのレイヤが高ければ高いほど、少なくとも部分的には、そのようなシグナリングに含まれる情報がいくつかのレイヤを通過しなければならず、各レイヤが処理（プロセッシング）および処理（ハンドリング）を必要とするために、頻度がより少なくなるが／時間／リソースがより多く消費されてしまうことが考えられる。
【００８２】
スケジューリングされた送信および／またはミニスロットは、特定のチャネル、特に、物理アップリンク共有チャネル、物理アップリンク制御チャネル、または物理ダウンリンク共有チャネル、例えば、ＰＵＳＣＨ、ＰＵＣＣＨ、またはＰＤＳＣＨに関係してもよく、および／または、特定のセルおよび／またはキャリアアグリゲーションに関係してもよい。対応する構成、たとえば、スケジューリング構成またはシンボル構成は、そのようなチャネル、セル、および／またはキャリアアグリゲーションに関係してもよい。
【００８３】
パンクチャリングおよびレートマッチングは、ダウンリンクデータ送信に関するＮＲの文脈で説明される。ＵＣＩは、一般に、制御情報、特にフィードバック情報のアクノレッジメント情報に置き換え可能であり、ＰＵＳＣＨは、例えば、アップリンクまたはサイドリンクにおいて、データ／共有チャネルに置き換え可能である。ネットワークまたはネットワークノードの代わりに、無線ノードまたは（第２の）ＵＥは、パンクチャリングまたはレートマッチングによって制御情報が提供されたことに応じて、サイドリンク制御信号データを提供してもよい。パンクチャリングでは、データは、（送信されるべきＵＣＩまたは制御信号を考慮することなく）ＰＵＳＣＨリソースエレメントのような割り当てられたデータリソースエレメントに、ＵＥによって符号化され、（例えば、シンボルとして／変調後に）マッピングされる。その後、ＵＣＩ変調シンボルまたはＵＣＩ情報（または、より一般的には、フィードバック情報またはアクノレッジメント情報のような制御情報、または対応するシンボル）は、代わりに制御情報／ＵＣＩを搬送すべきリソースエレメントにマッピングされ、データまたは関連するシンボルを置き換え、したがって、廃棄されてもよい。このプロセスはパンクチャリングと呼ばれる。パンクチャリングは、データ受信のパフォーマンスに影響を与えるが、パンクチャリングされる（およびＵＣＩについて「盗まれる」）データビットの数が妥当である限り、データパフォーマンスの劣化は適度である。
【００８４】
パンクチャリングの利点は、受信機（例えば、ｇＮＢ、ネットワーク）が、制御情報（例えば、ＵＣＩ）が挿入されているかどうかを認識する必要がないことであり、ＵＥが制御情報を含めていないにもかかわらず、それを含めているとネットワークが仮定してしまった場合でさえも、ネットワークは、いずれにせよ、データチャネル／ＰＵＳＣＨデータを復号することができる。制御情報またはそのサイズの存在に関するＵＥとネットワークとの間の不整合は、例えば、失われた（ＤＬまたはＳＬ）スケジューリング割り当て（１つまたは複数）のために発生する可能性がある。そのような場合、ネットワークは、スケジューリング割り当てによって示されるダウンリンクデータ送信に関する肯定応答をＵＥが送信することを期待するが、ＵＥは、スケジューリング割り当てを受信しなかったので、それは、期待されるＨＡＲＱフィードバックを含まない。
【００８５】
パンクチャリングの欠点は、パンクチャリングがＰＵＳＣＨデータに引き起こすパフォーマンス損失である。パンクチャリングでは、ＵＣＩを搬送していると想定されたリソースエレメント上にマッピングされているＰＵＳＣＨのためのデータのコーディングビット（例えば、コーディングビットがシステミックビットに基づいて決定されてもよい、システミックビットおよびコーディングビット）が、コーディングビットの重要性にかかわらず、削除されてしまう。特に、ＵＣＩサイズが大きく、ＭＣＳが高い場合、ＰＵＳＣＨデータ性能損失が大きくなる可能性がある。図１に示すように、より高いＭＣＳ（変調および符号化方式）レベルでは、１ｄＢ以上の性能損失を観測することができる。図１は、ＨＡＲＱ-ＡＣＫビットによるパンクチャリングによるＰＵＳＣＨリンク性能損失を示す。
【００８６】
レートマッチングは、ＵＣＩのための「余地を作る」ために、データを表すコーディングビットのセットを調整する。これは、例えば、（コーディングビットの一例である）パリティビットよりも典型的に重要なシステマティックビットが送信されないことを回避する。レートマッチングは、ＵＥおよびネットワークが、ＵＣＩが存在するかどうか、およびそのサイズについてのコヒーレントな（曖昧でない）理解を有することを必要とし、そうでなければ、ネットワークは、アップリンクで送信された情報（例えば、データおよび／または制御情報）を復号することができないことがある。
【００８７】
一般に、コンフィギュレーション（構成）は、タイミングを示すコンフィギュレーションであってもよく、および／または、対応するコンフィギュレーションデータを用いて表現または構成されてもよい。構成は、特にセミパーシステント（半永続的）および／または半静的にリソースを指示および／またはスケジューリングすることができるメッセージまたは構成または対応するデータに埋め込まれ、および／または含まれてもよい。
【００８８】
スケジューリングされた送信は、物理チャネル、特に共有物理チャネル、例えば、物理アップリンク共有チャネルまたは物理ダウンリンク共有チャネル上の送信を表すと考えられてもよい。このようなチャネルの場合、セミパーシステント構成が特に適している場合がある。
【００８９】
送信タイミング構造の制御領域は、制御シグナリング、特にダウンリンク制御シグナリングのため、および／または、特定の制御チャネルのため、例えばＰＤＣＣＨのような物理ダウンリンク制御チャネルのために、意図された、またはスケジューリングされた、または予約された時間間隔であってもよい。この時間間隔は、例えば、ＰＤＣＣＨ、ＲＲＣシグナリング、またはマルチキャストもしくはブロードキャストチャネル上で、例えば、（ＵＥ固有の）専用シグナリング（例えば、特定のＵＥにアドレス指定された、または特定のＵＥに向けられた、シングルキャストとすることができる）によって、構成または構成可能とすることができる、時間内のいくつかのシンボルを備えることができ、および／またはそれから構成することができる。一般に、送信タイミング構造は、構成可能な数のシンボルをカバーする制御領域を備えることができる。一般に、境界シンボルは、時間的に制御領域の後になるように構成されると考えられてもよい。
【００９０】
送信タイミング構造のシンボルの持続時間は、一般に、ヌメロロジーおよび／または搬送波に依存することができ、ここで、ヌメロロジーおよび／または搬送波は、構成可能であってもよい。ヌメロロジーは、スケジューリングされた送信のために使用されるヌメロロジーであってもよい。
【００９１】
デバイス（装置）をスケジューリングすること、または装置のためにスケジューリングすること、および／または関連した送信またはシグナリングは、リソースを用いて装置を構成すること、および／または、例えば、通信のために使用されるリソースを装置に示すことを含むか、またはその一形態であると考えられてもよい。スケジューリングは、特に、送信タイミング構造、またはそのサブ構造（例えば、スロットまたはミニスロット、これは、スロットのサブ構造と考えられてもよい）に関係することができる。例えば、基礎となるタイミンググリッドが送信タイミング構造に基づいて定義される場合など、サブ構造がスケジューリングされている場合であっても、境界シンボルが送信タイミング構造に関して識別および／または決定されてもよいことが考慮されてもよい。スケジューリングを示すシグナリングは、対応するスケジューリング情報を備えることができ、および／または、スケジューリングされた送信を示すコンフィギュレーションデータを表すか、または含むと考えられることができ、および／または、スケジューリング情報を備えることができる。そのようなコンフィギュレーションデータまたはシグナリングは、リソース構成またはスケジューリング構成と見なされてもよい。そのような構成（特に単一メッセージとして）は、場合によっては、他のコンフィギュレーションデータなしでは、例えば、他のシグナリング、例えば、上位レイヤシグナリングを用いて構成されていなければ、完全ではないことがあることに留意されたい。具体的には、スケジューリング／リソース構成に加えて、どのシンボルがスケジューリングされた送信に割り当てられるかを正確に識別するために、シンボル構成が提供されてもよい。スケジューリング（またはリソース）構成は、スケジューリングされた送信のための送信タイミング構造および／またはリソース量（たとえば、シンボルの数または時間の長さ）を示してもよい。
【００９２】
スケジューリングされた送信は、例えば、ネットワークまたはネットワークノードによってスケジューリングされた送信であってもよい。この文脈では、送信は、アップリンク（ＵＬ）またはダウンリンク（ＤＬ）またはサイドリンク（ＳＬ）送信であってもよい。したがって、スケジューリングされた送信がスケジューリングされる装置、例えば、ユーザ装置は、スケジューリングされた送信を（例えば、ＤＬまたはＳＬで）受信するように、または（例えば、ＵＬまたはＳＬで）送信するようにスケジューリングされてもよい。送信をスケジューリングすることは、特に、この送信のためのリソースを用いてスケジューリングされたデバイスを構成すること、および／または、送信がいくつかのリソースのために意図され、および／またはスケジューリングされていることをデバイスに通知することを備えると考えられてもよい。送信は、開始シンボルと終了シンボルとの間（および開始シンボルと終了シンボルとを含む）の時間における連続的な間隔を形成することができる時間間隔、特に連続するシンボルの数をカバーするようにスケジューリングされてもよい。（例えば、スケジューリングされた）送信の開始シンボルおよび終了シンボルは、同じ送信タイミング構造、例えば、同じスロット内にあってもよい。しかしながら、場合によっては、終了シンボルは、開始シンボルよりも後の送信タイミング構造、特に時間的に後続する構造であってもよい。スケジューリングされた送信に対して、デュレーション（持続時間）は、例えば、いくつかのシンボルまたは関連付けられた時間間隔において、関連付けられ、および／または、示されてもよい。いくつかの変形例では、同じ送信タイミング構造でスケジューリングされた異なる送信があってもよい。スケジューリングされた送信は、特定のチャネル、例えば、ＰＵＳＣＨまたはＰＤＳＣＨのような共有チャネルに関連付けられると考えられてもよい。
【００９３】
送信タイミング構造は、複数のシンボルを備えることができ、および／またはいくつかのシンボル（それぞれ、それらの関連する時間間隔）を備える間隔を定義することができる。本開示の文脈において、基準を容易にするためのシンボルへの基準は、周波数領域成分も考慮されなければならないことが文脈から明らかでない限り、シンボルの、時間領域プロジェクション、時間間隔、時間成分、または持続時間、または長さを指すと解釈されてもよいことに留意されたい。送信タイミング構造の例には、スロット、サブフレーム、ミニスロット（スロットのサブ構造と考えることもできる）、スロットアグリゲーション（複数のスロットを含むことができ、スロットのスーパー構造と考えられてもよい）、それぞれの時間領域成分が含まれる。送信タイミング構造は、一般に、送信タイミング構造の時間領域拡張（例えば、間隔または長さまたは持続時間）を定義し、番号付けされたシーケンスで互いに隣接して配置された複数のシンボルを備えることができる。タイミング構造（同期構造としても考えられるか、または実装されてもよい）は、一連のそのような送信タイミング構造によって定義されてもよく、一連の送信タイミング構造は、例えば、最小のグリッド構造を表すシンボルを有するタイミンググリッドを定義してもよい。送信タイミング構造、および／または境界シンボル、またはスケジューリングされた送信は、そのようなタイミンググリッドに関して決定またはスケジューリングされてもよい。受信についての送信タイミング構造は、例えばタイミンググリッドに関して、スケジューリング制御シグナリングが受信される、送信タイミング構造であってもよい。送信タイミング構造は、特に、スロットまたはサブフレームであってもよく、場合によっては、ミニスロットであってもよい。
【００９４】
フィードバックシグナリングは、ＵＣＩ（アップリンク制御情報）シグナリングまたはＳＣＩ（サイドリンク制御情報）シグナリングのような、例えば、アップリンクまたはサイドリンク制御シグナリングのような、形式または制御信号と考えられてもよい。フィードバックシグナリングは、特に、アクノレッジメントシグナリングおよび／またはアクノレッジメント情報を含むか、および／または表すことができる。
【００９５】
アクノレッジメントは、アクノレッジメントシグナリングプロセス、例えば、ＡＣＫまたはＮＡＣＫまたはＤＴＸのための具体的な数値または状態のインジケーションを含むことができる。このようなインジケーションは、例えば、ビット又はビット値又はビットパターン又は情報スイッチを表すことができる。例えば、受信されたデータ要素における受信品質および／または誤り位置に関する区別された情報を提供する、異なるレベルのアクノレッジメント情報は、制御シグナリングによって考慮および／または表現されてもよい。アクノレッジメント情報は、一般に、例えばＡＣＫまたはＮＡＣＫまたはＤＴＸを表す、アクノレッジメントまたは非アクノレッジメントまたは非受信、あるいはそれらの異なるレベルを示すことができる。アクノレッジメント情報は、１つのアクノレッジメントシグナリングプロセスに関係してもよい。アクノレッジメントシグナリングは、１つまたは複数のアクノレッジメントシグナリングプロセス、特に１つまたは複数のＨＡＲＱまたはＡＲＱプロセスに関係するアクノレッジメント情報を含むことができる。各アクノレッジメントシグナリングプロセスに対して、アクノレッジメント情報が関係しており、制御シグナリングの情報サイズを示す特定のビット数が割り当てられると考えられてもよい。測定報告シグナリングは、測定情報を含むことができる。
【００９６】
シグナリングは、一般に、１つまたは複数のシンボルおよび／または信号および／またはメッセージを備えることができる。信号は、１つまたは複数のビットを含むことができる。インジケーションは、シグナリングを表すことができ、および／または信号として、または複数の信号として実装することができる。１つまたは複数の信号は、メッセージに含まれ、および／またはメッセージによって表されてもよい。シグナリング、特に制御シグナリングは、複数の信号および／またはメッセージを含むことができ、これらの信号および／またはメッセージは、異なる搬送波上で送信され、および／または、例えば、１つまたは複数のそのようなプロセスを表し、および／またはそれに関係する、異なるアクノレッジメントシグナリングプロセスに関連付けられることができる。インジケーションは、シグナリングおよび／または複数の信号および／またはメッセージを備えることができ、および／またはその中に含まれることができ、それらは、異なる搬送波上で送信されることができ、および／または、たとえば、１つまたは複数のそのようなプロセスを表し、および／またはそれに関係する、異なるアクノレッジメントシグナリングプロセスに関連付けられることができる。
【００９７】
リソースまたはリソース構造を利用するシグナリングは、リソースまたは構造をカバーするシグナリング、関連する周波数上でのシグナリング、および／または関連する時間間隔内でのシグナリングであってもよい。シグナリングリソース構造は、１つまたは複数の異なるチャネルおよび／またはタイプのシグナリングに関連付けられてもよい、および／または１つまたは複数のホール（送信の送信または受信のためにスケジューリングされていないリソースエレメント）を備える、および／または含む、１つまたは複数のサブ構造を備える、および／または包含すると考えられてもよい。リソースサブ構造、例えばフィードバックリソースストラクチャは、一般に、関連する間隔内で時間および／または周波数が連続していてもよい。サブ構造、特にフィードバックリソース構造は、時間／周波数空間において１つまたは複数のリソースエレメントで埋められた長方形を表すと考えられてもよい。しかしながら、場合によっては、周波数リソース範囲は、リソースの非連続パターンを表してもよい。シグナリングリソース構造は、同様に実装されてもよい。サブ構造のリソースエレメントは、関連するシグナリングのためにスケジューリングされてもよい。フィードバックリソース範囲は、たとえば、その１つまたは複数のリソースエレメント上で、フィードバックシグナリング、たとえば、測定報告シグナリングおよび／またはアクノレッジメントシグナリングを備えることができ、および／またはフィードバックシグナリングに関連付けられることができる。いくつかの変形形態では、それは、たとえば、制御シグナリングのような追加のシグナリング、および／または、例えば、ＰＵＳＣＨ上でのユーザデータシグナリングのようなデータシグナリングを有するか、および／または、それらに関連付けられてもよい。フィードバックリソース範囲内の様々なシグナリングは、例えば、スケジューリンググラントまたは他の制御シグナリングを用いて、構成されてもよいか、または構成可能であってもよいパターンに従って、分散されてもよい。
【００９８】
一般に、リソースエレメント上で搬送することができる特定のシグナリングに関連するビット数またはビットレートは、変調および符号化方式（ＭＣＳ）に基づくことができることに留意されたい。したがって、ビットまたはビットレートは、例えば、ＭＣＳに依存して、周波数および／または時間におけるリソース構造または範囲を表すリソースの形成として見られてもよい。ＭＣＳは、例えば、ＤＣＩまたはＭＡＣ（媒体アクセス制御）またはＲＲＣ（無線リソース制御）シグナリングなどの制御シグナリングによって、構成または構成可能であってもよい。
【００９９】
制御情報のための異なるフォーマット、例えば、物理アップリンク制御チャネル（ＰＵＣＣＨ）のような制御チャネルのための異なるフォーマットが考慮されてもよい。ＰＵＣＣＨは、例えば、アップリンク制御情報（ＵＣＩ）など、制御情報または対応する制御シグナリングを搬送してもよい。ＵＣＩは、フィードバックシグナリング、および／またはＨＡＲＱフィードバック（ＡＣＫ／ＮＡＣＫ）のようなアクノレッジメントシグナリング、および／または例えばチャネル品質情報（ＣＱＩ）および／またはスケジューリング要求（ＳＲ）シグナリングを備える測定情報シグナリングを備えることができる。サポートされるＰＵＣＣＨフォーマットのうちの１つは、短くてもよく、例えば、スロット間隔の終わりに、および／または多重化されて、および／またはＰＵＳＣＨに隣接して発生してもよい。類似の制御情報は、例えば、サイドリンク制御情報（ＳＣＩ）として、特に（Ｐ）ＳＣＣＨのような（物理的）  サイドリンク制御チャネル上に提供されてもよい。
【０１００】
アクノレッジメントシグナリングプロセスは、アクノレッジメントシグナリング、例えば、ＨＡＲＱまたはＡＲＱフィードバックのような肯定応答フィードバックに基づいて、（例えば、データ要素の形成で）データを送信および／または再送信するプロセスであってもよい。アクノレッジメントシグナリングは、例えば、対応するデータまたはデータ要素の正しい受信の肯定応答または非肯定応答を表すことができ、オプションで非受信のインジケーションを表すことができるアクノレッジメント情報を含むか、および／または表すことができる。特に、アクノレッジメント情報は、ＡＲＱ（自動再送要求）および／またはＨＡＲＱ（ハイブリッド自動再送要求）フィードバックを表すことができる。正しい受信は、例えば、受信されているデータ要素に基づくことができる誤り検出および／または前方誤り訂正符号化に基づく、例えば、ＡＲＱまたはＨＡＲＱプロセスによる、正しい復号／復調を含むことができる。これに対応して、誤った受信（非肯定応答）は、復号／復調中の誤りの検出を指すことがある。非受信は、データ要素の非受信、および／または、データ要素に関するマッピングを示す肯定応答位置インジケーションの非受信を示すことができる。非受信は、例えば、ＤＴＸ（間欠送信）および／またはＤＲＸ（間欠受信）インジケーションによって示されてもよい。通信のいずれかの側にＤＴＸ／ＤＲＸがあってもよいことに留意されたい。アクノレッジメントシグナリングを決定および／または送信する無線ノードは、期待されるデータ要素を受信しなくてもよいが、これをアクノレッジメントシグナリングにおいてＤＴＸとして示し、より細かく粒度化された肯定応答を可能にすることができる。他方、アクノレッジメントシグナリングを受信する無線ノードは、期待されるアクノレッジメントシグナリングを受信しないかもしれないが、これをＤＴＸイベントとして扱うことができる。両方の種類のＤＴＸは、別々に、例えば、ＤＴＸ１およびＤＴＸ２として、または異なるスキームに従って取り扱われてもよい。アクノレッジメントシグナリングのコンテキストにおけるデータ要素は、特に、アクノレッジメントシグナリングプロセスを課されるトランスポートブロックまたはコードブロックのようなデータブロック、およびそのような処理のコンテキストにおける１つまたは複数の送信を表すことができる。アクノレッジメントシグナリングプロセスは、プロセス識別子、例えば、ＨＡＲＱプロセス番号または識別子のようなプロセス番号、またはＡＲＱプロセス番号または識別子をそれに関連付けることができる。アクノレッジメントシグナリングプロセスに関連するアクノレッジメント情報は、いくつかのビット、または、例えば、１ビットまたは２ビットを備えるビットパターンを備えることができる。ビット設定は、ＡＣＫまたはＮＡＣＫ（例えば、１または０、または１１または００）を表すことができ、あるいはいくつかの変形形態では、ＤＲＸ／ＤＴＸまたは類似物を含む。アクノレッジメントシグナリングプロセスは、データストリームおよび／またはチャネルまたはデータブロック、および／またはデータストリームおよび／またはチャネルのコンテキストにおける送信、またはデータ要素またはデータブロックの送信に関連付けられてもよい。バッファまたは記憶装置は、アクノレッジメントシグナリングプロセスに関連付けられてもよい。アクノレッジメントシグナリングプロセス、例えば、ＨＡＲＱプロセスは、ソフトコンバイニング（軟合成）および／または前方誤り訂正および／または誤り検出スキームを備えることができる。
【０１０１】
アクノレッジメントシグナリングプロセスは、報告タイプに関連付けられてもよい。報告タイプは、プロセス、および／またはプロセスに関連するか、またはそれに関連するアクノレッジメント情報（またはシグナリング）が、データ要素、たとえば、トランスポートブロックまたはデータブロック、あるいはその複数のサブエレメント、たとえば、（特に、同じ）トランスポートブロックの一部であってもよいコードブロックまたはそのグループに関係するかどうかを定義するか、および／または示すことができる。代替として、または追加として、報告タイプは、情報および／またはシグナリングの１つまたは複数のビットのビットパターンをどのようにマッピングするかを定義および／または示すことができる。例示的な報告タイプは、データ要素またはトランスポートブロックに関係すると考えることができ、プロセスまたは情報／シグナリングが、たとえば、データ要素上で実行される誤り復号に基づいて、データ要素全体に関係することを示すことができる。別の例示的な報告タイプは、プロセスおよび／または情報／シグナリングが、複数のサブエレメントまたはそのグループに関係することを定義または指示することができ、そのために、たとえば、別個の復号化／誤りデコード処理を実行することができ、その結果をそれぞれ指示することができる。
【０１０２】
アクノレッジメント情報および／または関連するシグナリングのビットパターン（１つまたは複数のビット）は、例えば、データ要素全体に関係する報告タイプについて、データ要素全体の正しいまたは不正確な受信（および／または再送信が要求される／必要であるかどうか）を示すことができる。データ要素が正しく受信されたか否かは、そのサブ要素の誤り復号に基づいて決定されてもよい。例えば、データ要素は、そのすべてのサブ要素が正しく受信された場合に、正しく受信されたことを示すことができる。ビットパターンは、代替的に（または、場合によっては、追加的に）、コードブロックのようなサブエレメントの正しい受信または誤った受信（および／または、再送信が要求／要求されるか否か）を個別に（またはグループで）示してもよい。例えば、関連するシグナリングのビットパターンは、データ要素の１つ以上、特に各コードブロック（またはコードブロックグループ）について、正しいまたは正しくない受信（および／または、再送信が要求される／要求されるか否か）を示してもよい。異なるアクノレッジメントシグナリングプロセス（特に、ＨＡＲＱプロセス）は、異なる報告タイプを有することができる。ビットパターンのマッピングは、どのビットがどのデータ要素またはサブ要素に関係するかを示すか、または定義することができる。
【０１０３】
コードブロックは、トランスポートブロックのようなデータ要素のサブエレメントと考えることができ、例えば、トランスポートブロックは、１つまたは複数のコードブロックを備えることができる。
【０１０４】
アクノレッジメントシグナリングプロセスに関連する送信、および／または関連するリソースもしくはリソース構造は、例えばスケジューリング割り当てによって構成および／またはスケジューリングされてもよい。スケジューリング割り当ては、制御シグナリング、例えば、ダウンリンク制御シグナリングまたはサイドリンク制御シグナリングを用いて構成されてもよい。そのような制御シグナリングは、スケジューリング情報を示すことができるスケジューリングシグナリングを表すか、および／または含むと考えられてもよい。スケジューリング割当は、特に、スケジューリング割当を用いて構成された装置によって受信された、または受信されるべきシグナリングに関する、シグナリングのシグナリング／送信のスケジューリングを示すスケジューリング情報と考えられてもよい。スケジューリング割り当ては、データ（例えば、データブロックまたは要素および／またはチャネルおよび／またはデータストリーム）および／または（関連する）アクノレッジメントシグナリングプロセスおよび／またはリソース（場合によっては、基準シグナリング）が受信されることになる）を示し、および／または関連するフィードバックシグナリングのためのリソース（または複数のリソース）を示し、および／または関連するフィードバックシグナリングが送信されることになるフィードバックリソース範囲を示してもよいことが考慮されてもよい。異なるスケジューリング割り当ては、異なるアクノレッジメントシグナリングプロセスに関連付けられてもよい。スケジューリング割り当ては、関連するフィードバックシグナリングの報告タイプを示してもよい。一般に、１つまたは複数のスケジューリング割り当ては、フォーマットインジケーションとは別に、例えば、１つまたは複数の異なるメッセージで送信されるか、または少なくとも１つのシンボル時間間隔および／またはサブキャリヤによって時間および／または周波数において分離されると考えられてもよい。いくつかの変形形態では、メッセージは、２つ以上のスケジューリング割り当てを含むことができる。いくつかの例では、スケジューリンググラントは、１つまたは複数のスケジューリング割り当てとともに、たとえば、同じメッセージで、および／または関連するメッセージまたはシグナリングフォーマットに従って送信されると考えられてもよい。そのような許可は、かなりの範囲のリソースをカバーすることができるので、許可が正しく受信／識別されたとしても、スケジューリング割り当てを受信／復号することは、依然として失敗することがある。スケジューリング割り当ては、例えば、ネットワークノードによって送信される場合、および／またはダウンリンク上で提供される場合、ダウンリンク制御情報またはシグナリングの例と見なされてもよい（または、サイドリンクを使用して、および／またはユーザ装置によって送信される場合、サイドリンク制御情報）。
【０１０５】
スケジューリンググラント（例えば、アップリンクグラント）は、制御信号（例えば、ダウンリンク制御情報／シグナリング）を表すことができる。スケジューリンググラントは、アップリンク（またはサイドリンク）シグナリング、特に、アップリンク制御シグナリングおよび／またはフィードバックシグナリング、たとえば、アクノレッジメントシグナリングのために、シグナリングリソース範囲および／またはリソースを構成すると考えられてもよい。シグナリングリソース範囲および／またはリソースを構成することは、構成された無線ノードによる送信のためにシグナリングリソース範囲および／またはリソースを構成すること、またはスケジューリングすることを有することができる。スケジューリンググラントは、フィードバックシグナリングのために使用される／使用可能なチャネルおよび／または可能なチャネル、特にＰＵＳＣＨのような共有チャネルが使用されてもよい／使用されてもよいかどうかを示してもよい。スケジューリンググラントは、一般に、アップリンクリソース／および／またはアップリンクチャネル、および／または関連するスケジューリング割り当てに関係する制御情報のフォーマットを示してもよい。グラントおよび割り当ての両方は、（ダウンリンクまたはサイドリンク）制御情報と見なされてもよく、および／または、異なるメッセージに関連付けられ、および／または、異なるメッセージと共に送信されてもよい。
【０１０６】
ＤＡＩ（ダウンリンク割り当てインデックス）は、例えば、トータルＤＡＩに加えて、各スケジューリング割り当てに含まれてもよい。ＤＡＩは、現在のスケジューリング割り当てをカウントするカウンタを表すことができる。異なるメッセージおよび／またはレポート（報告）および／または送信タイミング構造および／または送信発生および／またはデータブロックまたはデータブロック構造のためにスケジューリングまたは構成されたフィードバックシグナリングのために、異なるカウンタ／数を使用することができ、および／またはカウンタ／数を（慣例に応じて、０または１に）再設定することができることに留意されたい。
【０１０７】
本開示では、限定ではなく説明の目的で、本明細書で提示される技法の完全な理解を提供するために、特定の詳細（特定のネットワーク機能、プロセス、およびシグナリングステップなど）が記載される。本概念および態様は、これらの特定の詳細から逸脱する他の変形形態および変形形態で実施されてもよいことが、当業者には明らかであろう。
【０１０８】
例えば、概念および変形は、ロングタームエボリューション（ＬＴＥ）またはＬＴＥ-Ａｄｖａｎｃｅｄ（ＬＴＥ-Ａ）またはニューレディオ（新無線）モバイルまたはワイヤレス通信技術の文脈で部分的に説明されるが、これは、モバイル通信のためのグローバルシステム（ＧＳＭ（登録商標））などの追加または代替のモバイル通信技術と関係して、本概念および態様を使用することを除外しない。記載された変形は、第３世代パートナーシッププロジェクト（３ＧＰＰ）の特定の技術仕様（ＴＳ）に関連してもよいが、本アプローチ、概念、および態様は、様々な性能管理（ＰＭ）仕様と関係して実現されてもよいことが理解されるであろう。
【０１０９】
さらに、本明細書で説明されるサービス、機能、およびステップは、プログラムされたマイクロプロセッサと共に機能するソフトウエアを使用して、または特定用途向け集積回路（ＡＳＩＣ）、デジタル信号プロセッサ（ＤＳＰ）、フィールド・プログラマブル・ゲート・アレイ（ＦＰＧＡ）、または汎用コンピュータを使用して実施できることを当業者は理解されよう。本明細書で説明される変形形態は、方法およびデバイスの文脈で説明されるが、本明細書で提示される概念および態様は、制御回路、たとえば、コンピュータプロセッサと、プロセッサに結合された記憶装置とを備えるシステムで実施されることも可能であり、記憶装置は、本明細書で開示されるサービス、機能、およびステップを実行する１つまたは複数のプログラムまたはプログラムプロダクトでコーディングされることも理解されよう。
【０１１０】
本明細書で提示される態様および変形形態の利点は、前述の説明から完全に理解されると考えられ、本明細書で説明される概念および態様の範囲から逸脱することなく、またはその有利な効果のすべてを犠牲にすることなく、その例示的な態様の形態、構成、および配置に様々な変更を行うことができることが明らかになるであろう。本明細書で提示される態様は、多くの方法で変更することができる。
【０１１１】
いくつかの有用な略語は、以下を含む。
【０１１２】
略称と説明
【０１１３】
ＣＢＧ  コードブロックグループ
【０１１４】
ＣＱＩ  チャネル品質情報
【０１１５】
ＣＳＩ  チャネル状態情報
【０１１６】
ＤＡＩ  ダウンリンク割り当てインジケータ
【０１１７】
ＤＣＩ  ダウリンク制御情報
【０１１８】
ＨＡＲＱ  ハイブリッド自動再送要求
【０１１９】
ＭＣＳ  変調符号化方式
【０１２０】
ＰＵＣＣＨ  物理アップリンク制御チャネル
【０１２１】
ＰＵＳＣＨ  物理アップリンク共有チャネル
【０１２２】
ＲＲＣ  無線リソース制御 
【０１２３】
ＳＲ  スケジューリング要求
【０１２４】
ＵＣＩ  アップリンク制御情報 
【０１２５】
ＤＭ  符号分割多重
【０１２６】
ＣＱＩ  チャネル品質情報
【０１２７】
ＣＲＣ  巡回冗長検査
【０１２８】
ＤＣＩ  ダウリンク制御情報
【０１２９】
ＤＦＴ  離散フーリエ変換
【０１３０】
ＤＭ−ＲＳ  復調基準信号
【０１３１】
ＦＤＭ  周波数分割多重
【０１３２】
ＨＡＲＱ  ハイブリッド自動再送要求
【０１３３】
ＯＦＤＭ  直交周波数分割多重
【０１３４】
ＰＡＰＲ  ピーク対平均電力比
【０１３５】
ＰＵＣＣＨ  物理アップリンク制御チャネル
【０１３６】
ＰＲＢ  物理リソースブロック
【０１３７】
ＲＲＣ  無線リソース制御 
【０１３８】
ＵＣＩ  アップリンク制御情報
【０１３９】
ＵＥ  ユーザ装置
【０１４０】
略語は、適用可能であれば、３ＧＰＰ使用に従うと考えられてもよい。
【図１】
0006757860.tif 000002
【図２】
0006757860.tif 000003
【図３】
0006757860.tif 000004